(57)【要約】      （修正有）【課題】異なるシステム帯域幅上で異なるユーザ機器（ＵＥ）のための通信をサポートするための方法を提供する。【解決手段】基地局が、第１のシステム帯域幅上で第１のＵＥのための通信をサポートするための第１の制御情報を送信し、第１のシステム帯域幅と重複する第２のシステム帯域幅上で第２のＵＥのための通信をサポートするための第２の制御情報を送信する。基地局は、第１および第２のシステム帯域幅上で、それぞれ第１および第２のＵＥにデータを送信する。基地局は、第３のシステム帯域幅上で（１つまたは複数の）第１のＵＥから第３の制御情報を受信し、（１つまたは複数の）第２のＵＥから第４の制御情報を受信する。基地局は、第３のシステム帯域幅上で（１つまたは複数の）第１のＵＥからデータを受信し、第３のシステム帯域幅と重複する第４のシステム帯域幅上で（１つまたは複数の）第２のＵＥからデータを受信する。【選択図】図１０
2014239474.tif 000002
【特許請求の範囲】
【請求項１】
第１のシステム帯域幅上で少なくとも１つの第１のユーザ機器（ＵＥ）のための通信をサポートするための第１の制御情報を送信することと、
前記第１のシステム帯域幅と重複する第２のシステム帯域幅上で少なくとも１つの第２のＵＥのための通信をサポートするための第２の制御情報を送信することと
を備える、ワイヤレス通信のための方法。
【請求項２】
前記第２のシステム帯域幅が前記第１のシステム帯域幅と追加の帯域幅とを備える、請求項１に記載の方法。
【請求項３】
前記第２のシステム帯域幅上で前記少なくとも１つの第２のＵＥにデータを送信することをさらに備え、前記第２の制御情報が前記第１のシステム帯域幅上でのみ送信され、前記少なくとも１つの第２のＵＥが、制御情報とデータとに対して異なるシステム帯域幅を有する請求項２に記載の方法。
【請求項４】
前記第１のシステム帯域幅上で少なくとも１つの制御チャネルを送信することをさらに備え、前記第１および第２の制御情報が前記少なくとも１つの制御チャネル上で送信される請求項１に記載の方法。
【請求項５】
前記第１のシステム帯域幅上で少なくとも１つの制御チャネルを送信することと、
前記追加の帯域幅上で少なくとも１つの追加の制御チャネルを送信することと
をさらに備え、前記第１の制御情報が前記少なくとも１つの制御チャネル上で送信され、前記第２の制御情報が、前記少なくとも１つの制御チャネル、または前記少なくとも１つの追加の制御チャネル、または両方の上で送信される請求項２に記載の方法。
【請求項６】
前記第２のシステム帯域幅ではなく前記第１のシステム帯域幅に基づいて、前記第１および第２のＵＥに肯定応答（ＡＣＫ）情報と否定応答（ＮＡＣＫ）情報とを送るために使用される制御チャネルのリソースを判断すること
をさらに備える、請求項１に記載の方法。
【請求項７】
前記第１のシステム帯域幅が、第１のサイズのリソースブロックグループ（ＲＢＧ）に区分され、前記第２のシステム帯域幅が、第２のサイズのＲＢＧに区分され、前記第２のサイズが、前記第１のサイズとは異なるか、または前記第１のサイズの整数倍である、請求項１に記載の方法。
【請求項８】
前記第１のシステム帯域幅内の周波数ホッピングを用いて前記少なくとも１つの第１のＵＥにデータを送信することと、
前記第２のシステム帯域幅内の周波数ホッピングを用いて前記少なくとも１つの第２のＵＥにデータを送信することと
をさらに備える、請求項１に記載の方法。
【請求項９】
前記第２のシステム帯域幅が前記第１のシステム帯域幅と追加の帯域幅とを備え、前記少なくとも１つの第２のＵＥにデータを前記送信することが、前記第１のシステム帯域幅にマッピングされたリソースについては前記第１のシステム帯域幅内の周波数ホッピングを用いて、および前記追加の帯域幅にマッピングされたリソースについては前記追加の帯域幅内の周波数ホッピングを用いて、前記少なくとも１つの第２のＵＥにデータを送信することを備える、請求項８に記載の方法。
【請求項１０】
前記少なくとも１つの第１のＵＥについてホッピングすべき量を決定する第１のギャップ値に基づく周波数ホッピングを用いて前記少なくとも１つの第１のＵＥにデータを送信することと、
前記少なくとも１つの第２のＵＥについてホッピングすべき量を決定する第２のギャップ値に基づく周波数ホッピングを用いて前記少なくとも１つの第２のＵＥにデータを送信することと
をさらに備え、前記第２のギャップ値が、前記第１のギャップ値とは異なるか、または前記第１のギャップ値の整数倍である請求項１に記載の方法。
【請求項１１】
前記第１のシステム帯域幅上でのみセル固有基準信号（ＣＲＳ）を送信することをさらに備える請求項１に記載の方法。
【請求項１２】
前記第１のシステム帯域幅上でセル固有基準信号（ＣＲＳ）を送信することと、
前記追加の帯域幅上で、前記ＣＲＳ、または少なくとも１つの追加の基準信号、または両方を送信することと
をさらに備える、請求項２に記載の方法。
【請求項１３】
前記第１のシステム帯域幅に基づいて定義された第１のサブバンドについての第１のチャネルフィードバック情報を前記少なくとも１つの第１のＵＥから受信することと、
前記第２のシステム帯域幅に基づいて定義された第２のサブバンドについての、または前記第１のサブバンドと、前記追加の帯域幅に基づいて定義された少なくとも１つの追加のサブバンドとについての、第２のチャネルフィードバック情報を前記少なくとも１つの第２のＵＥから受信することと
をさらに備える、請求項２に記載の方法。
【請求項１４】
前記少なくとも１つの第１のＵＥが、ダウンリンクでは前記第１のシステム帯域幅上で通信し、アップリンクでは第３のシステム帯域幅上で通信し、前記少なくとも１つの第２のＵＥが、前記ダウンリンクでは前記第２のシステム帯域幅上で通信し、前記アップリンクでは第４のシステム帯域幅上で通信し、前記第４のシステム帯域幅が、前記第３のシステム帯域幅と重複し、前記第３のシステム帯域幅と追加の帯域幅とを備える、請求項１に記載の方法。
【請求項１５】
前記第３のシステム帯域幅上で前記少なくとも１つの第１のＵＥから第３の制御情報を受信することと、
前記第３のシステム帯域幅上で前記少なくとも１つの第２のＵＥから第４の制御情報を受信することと
をさらに備える、請求項１４に記載の方法。
【請求項１６】
前記第３のシステム帯域幅内の周波数ホッピングを用いて前記少なくとも１つの第１のＵＥによって送信されたデータを受信することと、
前記第４のシステム帯域幅内の周波数ホッピングを用いて、または前記第３のシステム帯域幅にマッピングされたリソースについては前記第３のシステム帯域幅内の周波数ホッピングを用いて、および前記追加の帯域幅にマッピングされたリソースについては前記追加の帯域幅内の周波数ホッピングを用いて、前記少なくとも１つの第２のＵＥによって送信されたデータを受信することと
をさらに備える、請求項１４に記載の方法。
【請求項１７】
前記第３のシステム帯域幅上で前記少なくとも１つの第１のＵＥによって送信された少なくとも１つのサウンディング基準信号を受信することと、
前記第３のシステム帯域幅上で、または前記第４のシステム帯域幅上で、前記少なくとも１つの第２のＵＥによって送信された少なくとも１つの他のサウンディング基準信号を受信することと
をさらに備える、請求項１４に記載の方法。
【請求項１８】
第１のシステム帯域幅上で少なくとも１つの第１のユーザ機器（ＵＥ）のための通信をサポートするための第１の制御情報を送信するための手段と、
前記第１のシステム帯域幅と重複する第２のシステム帯域幅上で少なくとも１つの第２のＵＥのための通信をサポートするための第２の制御情報を送信するための手段と
を備える、ワイヤレス通信のための装置。
【請求項１９】
前記第２の制御情報を送信するための前記手段が、前記第１のシステム帯域幅上でのみ前記第２の制御情報を送信するための手段を備える、請求項１８に記載の装置。
【請求項２０】
前記第１のシステム帯域幅内の周波数ホッピングを用いて前記少なくとも１つの第１のＵＥにデータを送信するための手段と、
前記第２のシステム帯域幅内の周波数ホッピングを用いて前記少なくとも１つの第２のＵＥにデータを送信するための手段と
をさらに備える、請求項１８に記載の装置。
【請求項２１】
前記少なくとも１つの第１のＵＥが、ダウンリンクでは前記第１のシステム帯域幅上で通信し、アップリンクでは第３のシステム帯域幅上で通信し、前記少なくとも１つの第２のＵＥが、前記ダウンリンクでは前記第２のシステム帯域幅上で通信し、前記アップリンクでは第４のシステム帯域幅上で通信し、前記第４のシステム帯域幅が、前記第３のシステム帯域幅と重複し、前記第３のシステム帯域幅と追加の帯域幅とを備える、請求項１８に記載の装置。
【請求項２２】
前記第３のシステム帯域幅上で前記少なくとも１つの第１のＵＥから第３の制御情報を受信するための手段と、
前記第３のシステム帯域幅上で前記少なくとも１つの第２のＵＥから第４の制御情報を受信するための手段と
をさらに備える、請求項２１に記載の装置。
【請求項２３】
前記第３のシステム帯域幅内の周波数ホッピングを用いて前記少なくとも１つの第１のＵＥによって送信されたデータを受信するための手段と、
前記第４のシステム帯域幅内の周波数ホッピングを用いて前記少なくとも１つの第２のＵＥによって送信されたデータを受信するための手段と
をさらに備える、請求項２１に記載の装置。
【請求項２４】
第１のシステム帯域幅上で少なくとも１つの第１のユーザ機器（ＵＥ）のための通信をサポートするための第１の制御情報を送信することと、前記第１のシステム帯域幅と重複する第２のシステム帯域幅上で少なくとも１つの第２のＵＥのための通信をサポートするための第２の制御情報を送信することとを行うように構成された少なくとも１つのプロセッサ
を備える、ワイヤレス通信のための装置。
【請求項２５】
前記少なくとも１つのプロセッサが、前記第１のシステム帯域幅上でのみ前記第２の制御情報を送信するように構成された、請求項２４に記載の装置。
【請求項２６】
前記少なくとも１つのプロセッサが、前記第１のシステム帯域幅内の周波数ホッピングを用いて前記少なくとも１つの第１のＵＥにデータを送信することと、前記第２のシステム帯域幅内の周波数ホッピングを用いて前記少なくとも１つの第２のＵＥにデータを送信することとを行うように構成された、請求項２４に記載の装置。
【請求項２７】
前記少なくとも１つの第１のＵＥが、ダウンリンクでは前記第１のシステム帯域幅上で通信し、アップリンクでは第３のシステム帯域幅上で通信し、前記少なくとも１つの第２のＵＥが、前記ダウンリンクでは前記第２のシステム帯域幅上で通信し、前記アップリンクでは第４のシステム帯域幅上で通信し、前記第４のシステム帯域幅が、前記第３のシステム帯域幅と重複し、前記第３のシステム帯域幅と追加の帯域幅とを備える、請求項２４に記載の装置。
【請求項２８】
前記少なくとも１つのプロセッサが、前記第３のシステム帯域幅上で前記少なくとも１つの第１のＵＥから第３の制御情報を受信することと、前記第３のシステム帯域幅上で前記少なくとも１つの第２のＵＥから第４の制御情報を受信することとを行うように構成された、請求項２７に記載の装置。
【請求項２９】
前記少なくとも１つのプロセッサが、前記第３のシステム帯域幅内の周波数ホッピングを用いて前記少なくとも１つの第１のＵＥによって送信されたデータを受信することと、前記第４のシステム帯域幅内の周波数ホッピングを用いて前記少なくとも１つの第２のＵＥによって送信されたデータを受信することとを行うように構成された、請求項２７に記載の装置。
【請求項３０】
第１のシステム帯域幅上で少なくとも１つの第１のユーザ機器（ＵＥ）のための通信をサポートするための第１の制御情報を送信することを少なくとも１つのコンピュータに行わせるためのコードと、
前記第１のシステム帯域幅と重複する第２のシステム帯域幅上で少なくとも１つの第２のＵＥのための通信をサポートするための第２の制御情報を送信することを前記少なくとも１つのコンピュータに行わせるためのコードと
を備えるコンピュータ可読媒体
を備える、コンピュータプログラム製品。
【請求項３１】
ユーザ機器（ＵＥ）において基地局から制御情報を受信することであって、前記基地局が、第１のシステム帯域幅上で少なくとも１つの第１のＵＥのための通信をサポートするための第１の制御情報を送信し、前記第１のシステム帯域幅と重複する第２のシステム帯域幅上で少なくとも１つの第２のＵＥのための通信をサポートするための第２の制御情報を送信し、前記ＵＥが、前記少なくとも１つの第２のＵＥのうちの１つである、受信することと、
前記制御情報に基づいて前記基地局と通信することと
を備える、ワイヤレス通信のための方法。
【請求項３２】
前記制御情報を前記受信することが、前記第１のシステム帯域幅上でのみ前記基地局から前記制御情報を受信することを備え、前記基地局と前記通信することが、前記第２のシステム帯域幅上で前記基地局からデータを受信することを備える、請求項３１に記載の方法。
【請求項３３】
制御情報を前記受信することが、制御チャネルから肯定応答（ＡＣＫ）情報と否定応答（ＮＡＣＫ）情報とを受信することを備え、前記制御チャネルのリソースが、前記第２のシステム帯域幅ではなく前記第１のシステム帯域幅に基づいて判断される、請求項３１に記載の方法。
【請求項３４】
前記基地局と前記通信することが、少なくとも１つのリソースブロック上で前記基地局によって送信されたデータを受信することを備え、前記第１のシステム帯域幅が、第１のサイズのリソースブロックグループ（ＲＢＧ）に区分され、前記第２のシステム帯域幅が、第２のサイズのＲＢＧに区分され、前記第２のサイズが、前記第１のサイズとは異なるか、または前記第１のサイズの整数倍であり、前記少なくとも１つのリソースブロックが、前記第２のサイズの前記ＲＢＧに基づいて判断される、請求項３１に記載の方法。
【請求項３５】
前記基地局と前記通信することが、前記第２のシステム帯域幅内の周波数ホッピングを用いて前記基地局によって送信されたデータを受信することを備える、請求項３１に記載の方法。
【請求項３６】
前記第２のシステム帯域幅が前記第１のシステム帯域幅と追加の帯域幅とを備え、前記基地局によって送信されたデータを前記受信することが、前記第１のシステム帯域幅にマッピングされたリソースについては前記第１のシステム帯域幅内の周波数ホッピングを用いて、および前記追加の帯域幅にマッピングされたリソースについては前記追加の帯域幅内の周波数ホッピングを用いて、前記基地局によって送信されたデータを受信することを備える、請求項３５に記載の方法。
【請求項３７】
前記基地局と前記通信することが、周波数ホッピングを用いて前記基地局によって送信されたデータを受信することを備え、前記基地局が、第１のギャップ値に基づく周波数ホッピングを用いて前記少なくとも１つの第１のＵＥにデータを送信し、第２のギャップ値に基づく周波数ホッピングを用いて前記少なくとも１つの第２のＵＥにデータを送信し、前記第２のギャップ値が、前記第１のギャップ値とは異なるか、または前記第１のギャップ値の整数倍である、請求項３１に記載の方法。
【請求項３８】
前記基地局によって前記第１のシステム帯域幅上でのみ送信されたセル固有基準信号（ＣＲＳ）を受信すること
をさらに備える、請求項３１に記載の方法。
【請求項３９】
前記第２のシステム帯域幅が前記第１のシステム帯域幅と追加の帯域幅とを備え、前記方法が、
前記第１のシステム帯域幅に基づいて定義された第１のサブバンドについての、または前記第２のシステム帯域幅に基づいて定義された第２のサブバンドについての、または前記第１のサブバンドと、前記追加の帯域幅に基づいて定義された少なくとも１つの追加のサブバンドとについての、チャネルフィードバック情報を前記ＵＥから前記基地局に送ること
をさらに備える、請求項３１に記載の方法。
【請求項４０】
前記チャネルフィードバック情報が、チャネル品質インジケータ（ＣＱＩ）情報、またはプリコーディング行列インジケータ（ＰＭＩ）情報、またはランクインジケータ（ＲＩ）情報、またはそれらの組合せを備える、請求項３９に記載の方法。
【請求項４１】
前記第２のシステム帯域幅についてのチャネルフィードバック情報を備える単一の報告を送ること
をさらに備える、請求項３１に記載の方法。
【請求項４２】
前記第２のシステム帯域幅が前記第１のシステム帯域幅と追加の帯域幅とを備え、前記方法が、
前記第１のシステム帯域幅についてのチャネルフィードバック情報を備える第１の報告を送ることと、
前記追加の帯域幅についてのチャネルフィードバック情報を備える第２の報告を送ることと
をさらに備える、請求項３１に記載の方法。
【請求項４３】
前記少なくとも１つの第１のＵＥが、ダウンリンクでは前記第１のシステム帯域幅上で通信し、アップリンクでは第３のシステム帯域幅上で通信し、前記少なくとも１つの第２のＵＥが、前記ダウンリンクでは前記第２のシステム帯域幅上で通信し、前記アップリンクでは第４のシステム帯域幅上で通信し、前記第４のシステム帯域幅が前記第３のシステム帯域幅と追加の帯域幅とを備える、請求項３１に記載の方法。
【請求項４４】
前記第３のシステム帯域幅上で前記ＵＥから前記基地局にアップリンク制御情報を送信すること
をさらに備える、請求項４３に記載の方法。
【請求項４５】
前記第４のシステム帯域幅内の周波数ホッピングを用いて前記ＵＥから前記基地局にデータを送信すること
をさらに備える、請求項４３に記載の方法。
【請求項４６】
データを前記送信することが、前記第３のシステム帯域幅にマッピングされたリソースについては前記第３のシステム帯域幅内の周波数ホッピングを用いて、および前記追加の帯域幅にマッピングされたリソースについては前記追加の帯域幅内の周波数ホッピングを用いて、前記ＵＥから前記基地局にデータを送信することを備える、請求項４５に記載の方法。
【請求項４７】
前記第３のシステム帯域幅上で、または前記第４のシステム帯域幅上で、前記ＵＥから前記基地局にサウンディング基準信号を送信すること
をさらに備える、請求項４３に記載の方法。
【請求項４８】
ユーザ機器（ＵＥ）において基地局から制御情報を受信するための手段であって、前記基地局が、第１のシステム帯域幅上で少なくとも１つの第１のＵＥのための通信をサポートするための第１の制御情報を送信し、前記第１のシステム帯域幅と重複する第２のシステム帯域幅上で少なくとも１つの第２のＵＥのための通信をサポートするための第２の制御情報を送信し、前記ＵＥが、前記少なくとも１つの第２のＵＥのうちの１つである、受信するための手段と、
前記制御情報に基づいて前記基地局と通信するための手段と
を備える、ワイヤレス通信のための装置。
【請求項４９】
前記制御情報を受信するための前記手段が、前記第１のシステム帯域幅上でのみ前記基地局から前記制御情報を受信するための手段を備え、前記基地局と通信するための前記手段が、前記第２のシステム帯域幅上で前記基地局からデータを受信するための手段を備える、請求項４８に記載の装置。
【請求項５０】
前記少なくとも１つの第１のＵＥが、ダウンリンクでは前記第１のシステム帯域幅上で通信し、アップリンクでは第３のシステム帯域幅上で通信し、前記少なくとも１つの第２のＵＥが、前記ダウンリンクでは前記第２のシステム帯域幅上で通信し、前記アップリンクでは第４のシステム帯域幅上で通信し、前記第４のシステム帯域幅が前記第３のシステム帯域幅と追加の帯域幅とを備える、請求項４８に記載の装置。
【請求項５１】
前記第３のシステム帯域幅上で前記ＵＥから前記基地局にアップリンク制御情報を送信するための手段
をさらに備える、請求項５０に記載の装置。
【請求項５２】
前記第４のシステム帯域幅内の周波数ホッピングを用いて前記ＵＥから前記基地局にデータを送信するための手段
をさらに備える、請求項５０に記載の装置。
【請求項５３】
第１のサブフレーム中の第１のシステム帯域幅上で少なくとも１つの第１のユーザ機器（ＵＥ）と通信することと、
第２のサブフレーム中の第２のシステム帯域幅上で少なくとも１つの第２のＵＥと通信することであって、前記第２のシステム帯域幅が前記第１のシステム帯域幅と重複し、前記第１のサブフレームが前記第２のサブフレームと時分割多重化された、通信することと
を備える、ワイヤレス通信のための方法。
【請求項５４】
前記第１および第２のシステム帯域幅と前記第１および第２のサブフレームとがダウンリンク用であり、前記方法は、
アップリンクでは第３のサブフレーム中の第３のシステム帯域幅上で前記少なくとも１つの第１のＵＥと通信することと、
前記アップリンクでは第４のサブフレーム中の第４のシステム帯域幅上で前記少なくとも１つの第２のＵＥと通信することであって、前記第４のシステム帯域幅が前記第３のシステム帯域幅と重複し、前記第３のサブフレームが前記第４のサブフレームと時分割多重化された、通信することと
をさらに備える、請求項５３に記載の方法。
【請求項５５】
データ送信が前記少なくとも１つの第１のＵＥに送られた、第１のサブフレームごとに、第３のサブフレームが、所定の遅延後に、前記データ送信についての肯定応答（ＡＣＫ）情報と否定応答（ＮＡＣＫ）情報とを送るために前記アップリンク上で利用可能である、請求項５４に記載の方法。
【請求項５６】
少なくとも１つのアップリンク許可が前記少なくとも１つの第１のＵＥに送られた、第１のサブフレームごとに、第３のサブフレームが、所定の遅延後に、前記アップリンク上での前記少なくとも１つの第１のＵＥによるデータ送信のために前記アップリンク上で利用可能である、請求項５４に記載の方法。
【請求項５７】
少なくとも１つのアップリンク許可が前記少なくとも１つの第１のＵＥに送られた、第１のサブフレームごとに、別の第１のサブフレームが、所定の遅延後に、肯定応答（ＡＣＫ）情報と否定応答（ＮＡＣＫ）情報とを送るために前記ダウンリンク上で利用可能である、請求項５４に記載の方法。
【請求項５８】
第１のサブフレーム中の第１のシステム帯域幅上で少なくとも１つの第１のユーザ機器（ＵＥ）と通信するための手段と、
第２のサブフレーム中の第２のシステム帯域幅上で少なくとも１つの第２のＵＥと通信するための手段であって、前記第２のシステム帯域幅が前記第１のシステム帯域幅と重複し、前記第１のサブフレームが前記第２のサブフレームと時分割多重化された、通信するための手段と
を備える、ワイヤレス通信のための装置。
【請求項５９】
前記第１および第２のシステム帯域幅と前記第１および第２のサブフレームとがダウンリンク用であり、前記装置は、
アップリンクでは第３のサブフレーム中の第３のシステム帯域幅上で前記少なくとも１つの第１のＵＥと通信するための手段と、
前記アップリンクでは第４のサブフレーム中の第４のシステム帯域幅上で前記少なくとも１つの第２のＵＥと通信するための手段であって、前記第４のシステム帯域幅が前記第３のシステム帯域幅と重複し、前記第３のサブフレームが前記第４のサブフレームと時分割多重化された、通信するための手段と
をさらに備える、請求項５８に記載の装置。
【発明の詳細な説明】
【優先権の主張】
【０００１】
本出願は、本出願の譲受人に譲渡され、参照により本明細書に組み込まれる、２００９年４月１０日に出願された「A METHOD AND APPARATUS FOR EFFICIENT USE OF BANDWIDTH FOR USER EQUIPMENT OPERATING IN SYSTEMS WITH DIFFERENT BANDWIDTHS」と題する米国仮出願第６１／１６８，３８６号の優先権を主張する。
【技術分野】
【０００２】
本開示は、一般に通信に関し、より詳細には、ワイヤレス通信システムにおける通信をサポートするための技法に関する。
【背景技術】
【０００３】
ワイヤレス通信システムは、ボイス、ビデオ、パケットデータ、メッセージング、ブロードキャストなど、様々な通信コンテンツを提供するために広く展開されている。これらのワイヤレスシステムは、利用可能なシステムリソースを共有することによって複数のユーザをサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングルキャリアＦＤＭＡ（ＳＣ−ＦＤＭＡ）システムがある。
【０００４】
ワイヤレス通信システムは、いくつかのユーザ機器（ＵＥ）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。ワイヤレスシステムは、そのシステムによってサポートされるシステム帯域幅のセットから選択され得る構成可能なシステム帯域幅を用いて動作し得る。そのようなシステムにおいてＵＥのための通信を効率的にサポートすることが望ましいことがある。
【発明の概要】
【０００５】
本明細書では、異なるシステム帯域幅上で異なるＵＥのための通信をサポートするための技法について説明する。１つの設計では、基地局が、第１のシステム帯域幅上で少なくとも１つの第１のＵＥのための通信をサポートするための第１の制御情報を送信し得る。基地局は、第１のシステム帯域幅と重複し得る第２のシステム帯域幅上で少なくとも１つの第２のＵＥのための通信をサポートするための第２の制御情報を送信し得る。基地局は、第１のシステム帯域幅上で（１つまたは複数の）第１のＵＥにデータを送信し、第２のシステム帯域幅上で（１つまたは複数の）第２のＵＥにデータを送信し得る。１つの設計では、基地局は、第１のシステム帯域幅上で第２の制御情報を送信し、第２のシステム帯域幅上で（１つまたは複数の）第２のＵＥにデータを送信し得る。その場合、（１つまたは複数の）第２のＵＥは、制御情報とデータとに対して異なるシステム帯域幅を有し得る。基地局は、以下で説明するように、様々な方法で第１および第２のＵＥに制御情報とデータとを送信し得る。基地局はまた、同じく以下で説明するように、第１および第２のＵＥのための通信をサポートするためのオーバーヘッド信号を送信し得る。
【０００６】
１つの設計では、基地局は、第３のシステム帯域幅上で（１つまたは複数の）第１のＵＥから第３の制御情報を受信し、第３のシステム帯域幅上で（１つまたは複数の）第２のＵＥから第４の制御情報を受信し得る。基地局は、第３のシステム帯域幅上で（１つまたは複数の）第１のＵＥからデータを受信し、第３のシステム帯域幅と重複し得る第４のシステム帯域幅上で（１つまたは複数の）第２のＵＥからデータを受信し得る。（１つまたは複数の）第２のＵＥは、以下で説明するように、様々な方法で制御情報とデータとを送信し得る。
【０００７】
本開示の様々な態様および特徴について以下でさらに詳細に説明する。
【図面の簡単な説明】
【０００８】
【図１】ワイヤレス通信システムを示す図。
【図２】例示的なフレーム構造を示す図。
【図３Ａ】ダウンリンク上でのデータ送信を示す図。
【図３Ｂ】アップリンク上でのデータ送信を示す図。
【図４Ａ】第１および第２のシステム帯域幅の設計を示す図。
【図４Ｂ】第１および第２のシステム帯域幅の設計を示す図。
【図４Ｃ】第１および第２のシステム帯域幅の設計を示す図。
【図５】異なるサブフレームにおける第１および第２のＵＥの多重化を示す図。
【図６】異なるサブフレームにおける、およびシステム帯域幅全体の異なる部分上での、第１および第２のＵＥの多重化を示す図。
【図７Ａ】オーバーヘッドチャネルの送信の設計を示す図。
【図７Ｂ】オーバーヘッドチャネルの送信の設計を示す図。
【図７Ｃ】オーバーヘッドチャネルの送信の設計を示す図。
【図８】セル固有基準信号の送信を示す図。
【図９】アップリンク上での例示的な制御領域とデータ領域とを示す図。
【図１０】基地局によって通信をサポートするためのプロセスを示す図。
【図１１】基地局によって通信をサポートするための装置を示す図。
【図１２】ＵＥによって通信するためのプロセスを示す図。
【図１３】ＵＥによって通信するための装置を示す図。
【図１４】通信をサポートするための別のプロセスを示す図。
【図１５】通信をサポートするための別の装置を示す図。
【図１６】基地局およびＵＥのブロック図。
【発明を実施するための形態】
【０００９】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡ方式は、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ  ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭ（登録商標）は、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる組織からの文書に記載されている。本明細書で説明する技法は、上記のシステムおよび無線技術、ならびに他のシステムおよび無線技術に使用され得る。明快のために、本技法のいくつかの態様について以下ではＬＴＥに関して説明し、以下の説明の大部分でＬＴＥ用語を使用する。
【００１０】
図１は、ワイヤレス通信システム１００を示し、これはＬＴＥシステムまたは何らかの他のシステムであり得る。システム１００は、いくつかの進化型ノードＢ（ｅＮＢ）１１０および他のネットワークエンティティを含み得る。ｅＮＢは、ＵＥと通信するエンティティであり得、基地局、ノードＢ、アクセスポイントなどとも呼ばれることがある。各ｅＮＢ１１０は、特定の地理的エリアに対して通信カバレージを提供し得、カバレージエリア内に位置するＵＥのための通信をサポートし得る。システム容量を改善するために、ｅＮＢの全体的なカバレージエリアを複数（たとえば、３つ）のより小さいエリアに分割し得る。より小さいエリアの各々は、それぞれのｅＮＢサブシステムによってサービスされ得る。３ＧＰＰでは、「セル」という用語は、このカバレージエリアにサービスしているｅＮＢおよび／またはｅＮＢサブシステムの最も小さいカバレージエリアを指すことができる。
【００１１】
ＵＥ１２０はシステム全体に分散され得、各ＵＥは固定またはモバイルであり得る。ＵＥは、移動局、端末、アクセス端末、加入者ユニット、局などとも呼ばれることがある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブックなどであり得る。
【００１２】
システムは、周波数分割複信（ＦＤＤ）または時分割複信（ＴＤＤ）を利用し得る。ＦＤＤの場合、ダウンリンクとアップリンクとは別々の周波数チャネルを割り振られる。ダウンリンク送信とアップリンク送信とは２つの周波数チャネル上で同時に送られ得る。ＴＤＤの場合、ダウンリンクとアップリンクとは同じ周波数チャネルを共有する。ダウンリンク送信とアップリンク送信とは異なる時間間隔中に同じ周波数チャネル上で送られ得る。
【００１３】
図２に、ＬＴＥにおけるＦＤＤのために使用されるフレーム構造２００を示す。ダウンリンクおよびアップリンクの各々の送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）通常の巡回プレフィックスの場合は７つのシンボル期間、または拡張された巡回プレフィックスの場合は６つのシンボル期間を含み得る。各サブフレーム中の２Ｌ個のシンボル期間には０〜２Ｌ−１のインデックスが割り当てられ得る。ダウンリンク上では、ＯＦＤＭシンボルがサブフレームの各シンボル期間中で送信され得る。アップリンク上では、ＳＣ−ＦＤＭＡシンボルがサブフレームの各シンボル期間中で送信され得る。
【００１４】
システムは、ダウンリンク上およびアップリンク上でのデータ送信のためにハイブリッド自動再送要求（ＨＡＲＱ）をサポートし得る。ＨＡＲＱの場合、送信機は、トランスポートブロック（またはパケット）が受信機によって正しく復号されるまで、または何らかの他の終端条件に遭遇するまで、トランスポートブロックの１つまたは複数の送信を送り得る。
【００１５】
図３Ａに、ＨＡＲＱを用いたダウンリンク上でのデータ送信を示す。ｅＮＢは、ＵＥに送るべきデータを有し得、ダウンリンク上でのデータ送信のためにＵＥをスケジュールし得る。ｅＮＢは、ダウンリンク（ＤＬ）許可とデータとをサブフレームｔ1中でＵＥに送り得る。ダウンリンク許可は、割り当てられたダウンリンクリソース、選択された変調および符号化方式（ＭＣＳ）などを伝達し得る。ＵＥは、ｅＮＢからダウンリンク許可とデータ送信とを受信し得、ダウンリンク許可に従ってデータ送信を処理し得る。復号結果に応じて、ＵＥは、サブフレームｔ2中で肯定応答（ＡＣＫ）または否定応答（ＮＡＫ）を送り得る。ｅＮＢは、ＮＡＫを受信した場合はサブフレームｔ3中でデータを再送信し得、ＡＣＫを受信した場合は新しいデータを送信し得る。ｅＮＢによるデータ送信およびＵＥによるＡＣＫ／ＮＡＫフィードバックは同様の方法で続き得る。
【００１６】
図３Ｂに、ＨＡＲＱを用いたアップリンク上でのデータ送信を示す。ＵＥは、送信すべきデータを有し得、スケジューリング要求をｅＮＢに送り得る（図３Ｂに図示せず）。ＵＥは、アップリンク上でのデータ送信のためにスケジュールされ得る。ｅＮＢは、サブフレームｉ1中でアップリンク（ＵＬ）許可をＵＥに送り得る。アップリンク許可は、割り当てられたアップリンクリソース、選択されたＭＣＳなどを伝達し得る。ＵＥは、サブフレームｉ2中で、割り当てられたアップリンクリソース上でデータをｅＮＢに送信し得る。ｅＮＢは、ＵＥからデータ送信を受信し、処理し得る。復号結果に応じて、ｅＮＢは、サブフレームｉ3中でＡＣＫまたはＮＡＫを送り得る。ＵＥは、ＮＡＫを受信した場合はサブフレームｉ4中でデータを再送信し得、ＡＣＫを受信した場合は新しいデータを送信し得る。ＵＥによるデータ送信およびｅＮＢによるＡＣＫ／ＮＡＫフィードバックは同様の方法で続き得る。
【００１７】
ＬＴＥは、アップリンク上では同期ＨＡＲＱをサポートし、ダウンリンク上では非同期ＨＡＲＱをサポートする。同期ＨＡＲＱの場合、トランスポートブロックのすべての送信は、単一のＨＡＲＱインターレースのサブフレーム中で送られ得る。Ｓ個のＨＡＲＱインターレースはリンクごとに定義され得、各ＨＡＲＱインターレースは、そのリンクのためのＳ番目ごとのサブフレームを含み得、Ｓは４、６、８などに等しくなり得る。非同期ＨＡＲＱの場合、トランスポートブロックの各送信をスケジュールし、任意のサブフレーム中で送り得る。同期ＨＡＲＱと非同期ＨＡＲＱの両方について、受信機は、特定のサブフレーム中でデータを受信し得、後でＡＣＫ／ＮＡＣＫ情報のＱ個のサブフレームを送り得、Ｑは２、４などに等しくなり得る。たとえば、図３Ａ中で、ｔ2＝ｔ1＋Ｑであり、ｔ4＝ｔ3＋Ｑであり、図３Ｂ中でｉ3＝ｉ2＋Ｑである。
【００１８】
ｅＮＢは、ＵＥのための通信をサポートするために、ダウンリンク上で様々なオーバーヘッドチャネルと信号とを送信し得る。オーバーヘッドチャネルは、（ｉ）システム情報を搬送するブロードキャストチャネルと、（ｉｉ）制御情報を搬送する制御チャネルとを含み得る。オーバーヘッド信号は、システム収集のために使用される同期信号、チャネル品質測定およびチャネル推定のために使用される基準信号、ならびに／あるいは他の信号を含み得る。再び図２を参照すると、ｅＮＢが、ｅＮＢ中の各セルについてシステム帯域幅の中心１．０８ＭＨｚにおいて１次同期信号（ＰＳＳ）と２次同期信号（ＳＳＳ）とを送信し得る。ＰＳＳおよびＳＳＳは、それぞれ、通常の巡回プレフィックスをもつ各無線フレームのサブフレーム０および５中のシンボル期間６および５中で送信され得る。ＰＳＳおよびＳＳＳは、セル探索および捕捉のためにＵＥによって使用され得る。ｅＮＢは、いくつかの無線フレーム中のサブフレーム０のスロット１中のシンボル期間０〜３中で物理ブロードキャストチャネル（ＰＢＣＨ）を送信し得る。ＰＢＣＨは何らかのシステム情報を搬送し得る。
【００１９】
ダウンリンクのための各サブフレームは、図２に示すように時分割多重（ＴＤＭ）であり得る、制御領域とデータ領域とを含み得る。制御領域はサブフレームの最初のＭ個のシンボル期間を含み得、Ｍは１、２、３または４に等しくなり得、サブフレームごとに変化し得る。制御領域は、ＵＥのための制御情報を搬送し得る。データ領域は、サブフレームの残りの２Ｌ−Ｍ個のシンボル期間を含み得、ＵＥのためのトラフィックデータおよび／または他の情報を搬送し得る。
【００２０】
ｅＮＢは、サブフレームの制御領域中で、物理制御フォーマットインジケータチャネル（ＰＣＦＩＣＨ）、物理ＨＡＲＱインジケータチャネル（ＰＨＩＣＨ）、および物理ダウンリンク制御チャネル（ＰＤＣＣＨ）など、様々な制御チャネルを送信し得る。ＰＣＦＩＣＨは、サブフレームの第１のシンボル期間中に送信され得、制御領域のサイズ（すなわち、Ｍの値）を伝達し得る。ＰＨＩＣＨは、ＨＡＲＱを用いてアップリンク上で送られるデータ送信のためのＡＣＫ／ＮＡＣＫ情報を搬送し得る。ＰＤＣＣＨは、ＵＥのためのダウンリンク制御情報（ＤＣＩ）を搬送し得る。ＤＣＩは、ダウンリンク許可、アップリンク許可、電力制御情報などを備え得る。ｅＮＢは、サブフレームのデータ領域中で物理ダウンリンク共有チャネル（ＰＤＳＣＨ）を送信し得る。ＰＤＳＣＨは、ダウンリンク上でのデータ送信のためにスケジュールされたＵＥのためのトラフィックデータを搬送し得る。
【００２１】
アップリンクのための各サブフレームは、周波数分割多重（ＦＤＭ）であり得る、制御領域とデータ領域とを含み得る。制御セクションは、システム帯域幅の２つのエッジにおいて形成され得、また、ＵＥによってアップリンク上で送られる制御情報の量に基づいて選択され得る構成可能なサイズを有し得る。データセクションは、制御セクション中に含まれない残りの周波数を含み得る。
【００２２】
ＵＥは、制御領域中で物理アップリンク制御チャネル（ＰＵＣＣＨ）を送信するか、またはサブフレームのデータ領域中で物理アップリンク共有チャネル（ＰＵＳＣＨ）を送信し得る。ＰＵＣＣＨは、ダウンリンク上で送られたデータ送信についてのＡＣＫ／ＮＡＣＫ情報、チャネル品質インジケータ（ＣＱＩ）情報、スケジューリング要求など、制御情報を搬送し得る。ＰＵＳＣＨは、ＵＥからのデータのみ、またはデータと制御情報の両方を搬送し得る。
【００２３】
ＬＴＥにおける様々なチャネルおよび信号は、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００２４】
ＬＴＥは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭとＳＣ−ＦＤＭとは、周波数範囲を、一般にトーン、ビンなどとも呼ばれる複数（ＮFFT個）の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定であり得、サブキャリアの総数（ＮFFT）はシステム帯域幅に依存する。たとえば、サブキャリア間隔は１５キロヘルツ（ｋＨｚ）であり得、ＮFFTは、１．２５、２．５、５、１０または２０メガヘルツ（ＭＨｚ）のシステム帯域幅に対してそれぞれ１２８、２５６、５１２、１０２４または２０４８に等しくなり得る。
【００２５】
各リンクに利用可能な時間周波数リソースはリソースブロックに分割され得る。各リソースブロックは、１つのスロット中で１２個のサブキャリアをカバーし得る。各スロット中のリソースブロックの数は、システム帯域幅に依存し得、それぞれ、１．２５〜２０ＭＨｚのシステム帯域幅に対して６から１１０まで変動し得る。各リソースブロックは、いくつかのリソース要素を含み得る。各リソース要素は、１つのシンボル期間中の１つのサブキャリアをカバーし得、実数値または複素数値であり得る１つの変調シンボルを送信するために使用され得る。
【００２６】
システムは、ダウンリンク上およびアップリンク上で異なるＵＥに対して異なるシステム帯域幅をサポートし得る。１つの設計では、ダウンリンクのために、システムは、（ｉ）Ｒ８ＢＷとして示される、レガシー／第１のＵＥのための第１のシステム帯域幅と、（ｉｉ）ＮｅｗＢＷとして示される、新しい／第２のＵＥのための第２のシステム帯域幅とをサポートし得る。１つの設計では、アップリンクのために、システムは、（ｉ）Ｒ８ＢＷＵＬとして示される、レガシーＵＥのための第３のシステム帯域幅と、（ｉｉ）ＮｅｗＢＷＵＬとして示される、新しいＵＥのための第４のシステム帯域幅とをサポートし得る。一例として、レガシーＵＥはＬＴＥ  Ｒｅｌｅａｓｅ  ８または９あるいは何らかの他のリリースをサポートし得、新しいＵＥは後のＬＴＥリリースをサポートし得る。第２のシステム帯域幅は第１のシステム帯域幅と完全にまたは部分的に重複し得る。同様に、第４のシステム帯域幅は第３のシステム帯域幅と完全にまたは部分的に重複し得る。
【００２７】
各リンクのための異なるシステム帯域幅は、様々な方法でＵＥに伝達され得る。１つの設計では、ダウンリンクのための第１および第２のシステム帯域幅は、マスタ情報ブロック（ＭＩＢ）中で送られる３ビットＲ８ＢＷ値と２ビットＮｅｗＢＷ値とによって伝達され得る。１つの設計では、アップリンクのための第３および第４のシステム帯域幅は、システム情報ブロックタイプ２（ＳＩＢ２）中で送られる３ビットＲ８ＢＷＵＬ値と２ビットＮｅｗＢＷＵＬ値とによって伝達され得る。各ｅＮＢは、ＭＩＢとＳＩＢ２とをＵＥに周期的にブロードキャストし得る。
【００２８】
表１は、１つの設計による、ダウンリンクのための第１および第２のシステム帯域幅を判断するための、レガシーＵＥおよび新しいＵＥによるＲ８ＢＷおよびＮｅｗＢＷ値の解釈を示す。
【表１】
2014239474.tif 000003
【００２９】
ＬＴＥ  Ｒｅｌｅａｓｅ  ８および９は、表２に示すように、６つのＲ８ＢＷ値、０００〜１０１（２進数）を割り当てられた、ダウンリンクのための６つのシステム帯域幅のセットをサポートする。残りの２つのＲ８ＢＷ値、１１０および１１１（２進数）は、予約されており、使用されない。６つのシステム帯域幅の３つの追加のセットが定義され得、表１に示すように、これらの３つの追加のセットは、ＮｅｗＢＷ値、０１、１０および１１を割り当てられ得る。各追加のセット中の６つのシステム帯域幅は、Ｒ８ＢＷ値、０００〜１０１（２進数）を割り当てられ得る。
【表２】
2014239474.tif 000004
【００３０】
レガシーＵＥは、ＭＩＢからＲ８ＢＷ値を受信し得、表２に示すように、Ｒ８ＢＷ値に基づいて、レガシーＵＥに適用可能な第１のシステム帯域幅（Ｒ８ＢＷ）を判断することができる。新しいＵＥは、ＭＩＢからＲ８ＢＷ値とＮｅｗＢＷ値とを受信し得、ＮｅｗＢＷ値に基づいて、システム帯域幅のどの追加のセットを使用すべきかを判断することができる。次いで、新しいＵＥは、システム帯域幅のこの追加のセット中のＲ８ＢＷ値に対応するシステム帯域幅に基づいて、新しいＵＥに適用可能な第２のシステム帯域幅（ＮｅｗＢＷ）を判断することができる。したがって、ＮｅｗＢＷ帯域幅は、ＮｅｗＢＷ値に応じてＮｅｗＢＷ１、ＮｅｗＢＷ２またはＮｅｗＢＷ３に等しくなり得る。
【００３１】
表１および表２は、ダウンリンクのための第１および第２のシステム帯域幅をレガシーＵＥおよび新しいＵＥに伝達する例示的な設計を示している。ダウンリンクのための第１および第２のシステム帯域幅は、他の方法でも伝達され得る。
【００３２】
アップリンクのためのＲ８ＢＷＵＬ値およびＮｅｗＢＷＵＬ値は、ダウンリンクのためのＲ８ＢＷ値およびＮｅｗＢＷ値と同様の方法で定義され、解釈され得る。
【００３３】
図４Ａに、レガシーＵＥおよび新しいＵＥのための第１および第２のシステム帯域幅の設計を示す。この設計では、第１のシステム帯域幅は、周波数範囲の中央部分を含み得、ベースキャリアと呼ばれ得る。第２のシステム帯域幅は、第１のシステム帯域幅と、ベースキャリアの上端にある上位帯域幅セグメントと、ベースキャリアの下端にある下位帯域幅セグメントとを含み得る。上位帯域幅セグメントは、下位帯域幅セグメントに等しいことも等しくないこともある。
【００３４】
図４Ｂに、レガシーＵＥおよび新しいＵＥのための第１および第２のシステム帯域幅の別の設計を示す。第１のシステム帯域幅は、周波数範囲の下側部分を含み得る。第２のシステム帯域幅は、第１のシステム帯域幅と、第１のシステム帯域幅の上端にある上位帯域幅セグメントとを含み得る。
【００３５】
図４Ｃに、レガシーＵＥおよび新しいＵＥのための第１および第２のシステム帯域幅のさらに別の設計を示す。第１のシステム帯域幅は、周波数範囲の上側部分を含み得る。第２のシステム帯域幅は、第１のシステム帯域幅と、第１のシステム帯域幅の下端にある下位帯域幅セグメントとを含み得る。
【００３６】
図４Ａ〜図４Ｃは、第１および第２のシステム帯域幅の３つの設計を示している。概して、第２のシステム帯域幅は、（たとえば、図４Ａ〜図４Ｃに示すように）第１のシステム帯域幅と完全に重複し得るか、または第１のシステム帯域幅と部分的に重複し得る。第２のシステム帯域幅は、第１のシステム帯域幅の片側または両側に追加の帯域幅を含み得る。追加の帯域幅は、新しいＵＥにとってアクセス可能であり得るが、レガシーＵＥにとってはアクセス可能でないことがある。第１および第２のシステム帯域幅は、任意の好適な幅を有し得る。たとえば、第２のシステム帯域幅は、第１のシステム帯域幅よりもわずかに大きいことも、はるかに大きいこともある。明快のために、以下の説明の大部分では、図４Ａに示す設計を仮定する。
【００３７】
一態様では、レガシーＵＥおよび新しいＵＥは、ＴＤＭを使用して異なるサブフレームに多重化され得る。１つの設計では、ダウンリンク上の各サブフレームは、以下のうちの１つとして指定され得る。
【００３８】
・  Ｒ８サブフレーム−レガシーＵＥをスケジュールすることができるサブフレーム
・  新しいサブフレーム−新しいＵＥをスケジュールすることができるサブフレーム
・  混合サブフレーム−レガシーＵＥと新しいＵＥとをスケジュールすることができるサブフレーム
１つの設計では、アップリンク上の各サブフレームは、Ｒ８サブフレーム、または新しいサブフレーム、あるいは混合サブフレームとして同様に指定され得る。概して、任意の数のサブフレームタイプがサポートされ得る。各リンク上の各サブフレームは、サポートされるサブフレームタイプのうちの１つとして指定され得る。
【００３９】
図５に、ダウンリンク上またはアップリンク上でレガシーＵＥと新しいＵＥとを無線フレームの異なるサブフレームに多重化する例を示す。この例では、４つのサブフレーム０、４、５および９はレガシーＵＥのためのＲ８サブフレームとして指定され、４つのサブフレーム１、３、６および８は新しいＵＥのための新しいサブフレームとして指定され、２つのサブフレーム２および７はレガシーＵＥおよび新しいＵＥのための混合サブフレームとして指定される。
【００４０】
ダウンリンクおよびアップリンクのための利用可能なサブフレームは、レガシーＵＥおよび新しいＵＥのためのＨＡＲＱ動作をサポートすることができるように、Ｒ８サブフレーム、新しいサブフレーム、および混合サブフレームとして指定され得る。レガシーＵＥのためのダウンリンク上での非同期ＨＡＲＱをサポートするために、これらのＵＥがデータ送信についてのＡＣＫ／ＮＡＣＫフィードバックを送ることができるように、データ送信がレガシーＵＥに送られた各ダウンリンクサブフレームのＱサブフレーム（たとえば、４サブフレーム）後に、Ｒ８または混合アップリンクサブフレームが利用可能でなければならない。レガシーＵＥのためのアップリンク上での同期ＨＡＲＱをサポートするために、これらのＵＥがアップリンク上でデータ送信を送ることができるように、アップリンク許可がレガシーＵＥに送られた各ダウンリンクサブフレームのＳ−Ｑサブフレーム（たとえば、４サブフレーム）後に、Ｒ８または混合アップリンクサブフレームが利用可能でなければならない。さらに、アップリンク上でのデータ送信についてのＡＣＫ／ＮＡＣＫフィードバックをレガシーＵＥに送ることができるように、アップリンク許可がレガシーＵＥに送られた各ダウンリンクサブフレームのＳサブフレーム（たとえば、８サブフレーム）後に、Ｒ８または混合ダウンリンクサブフレームが利用可能でなければならない。
【００４１】
１つの設計では、同じＨＡＲＱインターレース構造がレガシーＵＥと新しいＵＥの両方のために使用され得る。この設計では、ダウンリンクのための各ＨＡＲＱインターレースは、Ｒ８サブフレームを含むＲ８インターレース、または新しいサブフレームを含む新しいインターレース、あるいは混合サブフレームを含む混合インターレースとして指定され得る。同様に、アップリンクのための各ＨＡＲＱインターレースは、Ｒ８インターレース、または新しいインターレース、あるいは混合インターレースとして指定され得る。ダウンリンク上とアップリンク上の両方で効率的なＨＡＲＱ動作をサポートするために、ダウンリンクのためのＨＡＲＱインターレースはアップリンクのためのＨＡＲＱインターレースとペアにされ得る。
【００４２】
別の設計では、ダウンリンクおよびアップリンクのための利用可能なサブフレームは、たとえば、レガシーＵＥおよび新しいＵＥのためのダウンリンク上およびアップリンク上でのＨＡＲＱ動作のための様々なルールを考慮に入れることによって、Ｒ８サブフレーム、新しいサブフレーム、および混合サブフレームとしてフレキシブルに指定され得る。
【００４３】
たとえば、図４Ａ、図４Ｂまたは図４Ｃに示すように、第２のシステム帯域幅は第１のシステム帯域幅と重複し得る。第２のシステム帯域幅中の追加の帯域幅は、ΔＮｅｗＢＷとして示され得、次のように表され得る。
【数１】
2014239474.tif 000005
【００４４】
ΔＮｅｗＢＷ帯域幅は、新しいＵＥのみのために使用され得、レガシーＵＥのための後方互換性がないことがある。同様に、アップリンクのための追加の帯域幅はΔＮｅｗＢＷＵＬ＝ＮｅｗＢＷＵＬ−Ｒ８ＢＷＵＬとして表され得る。
【００４５】
一例として、システムは、２０ＭＨｚのシステム帯域幅をもつキャリア上で動作し得る。レガシーＵＥのためのＲ８ＢＷ帯域幅は１００個のリソースブロックを含み得、新しいＵＥのためのＮｅｗＢＷ帯域幅は１１０個のリソースブロックを含み得る。ΔＮｅｗＢＷ帯域幅は１０個のリソースブロックを含み得る。このキャリアは、マルチキャリア動作のための複数のキャリアの１つであり得る。レガシーＵＥのために最初に予約されたガードバンドの一部は、新しいＵＥのためのΔＮｅｗＢＷ帯域幅として使用され得る。
【００４６】
図６に、システム帯域幅全体の異なる部分上でレガシーＵＥと新しいＵＥとを異なるサブフレームに多重化する設計を示す。図６に示す例では、第１のシステム帯域幅は第２のシステム帯域幅の中央部分を占め、第２のシステム帯域幅の２つの端部は新しいＵＥにとってのみアクセス可能である。サブフレーム０〜９の各々の中央部分は、レガシーＵＥ、または新しいＵＥ、あるいはレガシーＵＥと新しいＵＥの両方のために使用され得る。各サブフレーム中の第２のシステム帯域幅の２つの端部は、新しいＵＥのみのために使用され得る。
【００４７】
１つの設計では、混合サブフレームは、（ｉ）Ｍ１混合サブフレームと呼ばれる完全互換混合サブフレーム、または（ｉｉ）Ｍ２混合サブフレームと呼ばれる部分互換混合サブフレームであり得る。Ｍ１混合サブフレームは、Ｒ８サブフレームと同様の方法でレガシーＵＥをサービスすることができるように、すべての関連するチャネルおよび信号を含み得る。レガシーＵＥがシステムを収集し、測定を実行することができるように、Ｍ２混合サブフレームは、いくつかのチャネルおよび信号（たとえば、ＰＳＳ、ＳＳ、ＰＢＣＨ、および基準信号）を含み得る。レガシーＵＥは、（ｉ）ダウンリンクのためのＭ１混合サブフレーム中でのデータ送信、および（ｉｉ）アップリンクのためのＭ１混合サブフレーム中でのデータ送信のためにスケジュールされ得る。レガシーＵＥは、ＬＴＥにおいてデータをブロードキャストするために使用されるマルチキャスト／ブロードキャスト単一周波数ネットワーク（ＭＢＳＦＮ）サブフレームのように見え得る、ダウンリンクのためのＭ２混合サブフレーム中でのデータ送信のためにスケジュールされないことがある。関連する制御チャネル（たとえば、ＰＣＦＩＣＨ、ＰＨＩＣＨ、およびＰＤＣＣＨ）がダウンリンクのための対応するＭ２混合サブフレーム中で送信された場合、レガシーＵＥは、アップリンクのためのＭ２混合サブフレーム中でのデータ送信のためにスケジュールされ得る。
【００４８】
別の態様では、第１および第２のシステム帯域幅上でのレガシーＵＥおよび新しいＵＥの動作をサポートするために、制御チャネルおよびオーバーヘッド信号が送信され得る。制御チャネルおよびオーバーヘッド信号は、以下で説明するように様々な方法で送信され得る。
【００４９】
図７Ａに、ダウンリンクのためのＲ８サブフレーム中でオーバーヘッドチャネルと信号とを送信する設計を示す。図７Ｂに、ダウンリンクのためのＭ１混合サブフレームまたは新しいサブフレーム中でオーバーヘッドチャネルと信号とを送信する設計を示す。図７Ａおよび図７Ｂに示す設計では、ｅＮＢは、すべてのＵＥによるシステム収集をサポートするために、中央の６つのリソースブロック上でＰＳＳ、ＳＳおよびＰＢＣＨを送信し得る。ｅＮＢは、サブフレームの制御領域中のＲ８ＢＷ帯域幅上で、ＰＣＦＩＣＨ、ＰＨＩＣＨおよびＰＤＣＣＨなどの制御チャネルを送信し得る。１つの設計では、ｅＮＢは、サブフレームの制御領域中のΔＮｅｗＢＷ帯域幅上で制御チャネルを送信しない。この設計では、図７Ｂに示すＭ１混合サブフレームの場合、ｅＮＢは、制御領域中のＲ８ＢＷ帯域幅上で送信される制御チャネル上で、新しいＵＥのための制御情報を送信し得る。
【００５０】
図７Ｃに、ダウンリンクのためのＭ２混合サブフレームまたは新しいサブフレーム中でオーバーヘッドチャネルと信号とを送信する設計を示す。この設計では、ｅＮＢは、サブフレームの制御領域中で制御チャネルを送信することも送信しないこともある。一般に、ｅＮＢは、ＴＤＭ、ＦＤＭ、および／または何らかの他の多重化方式を使用して新しいＵＥのための制御チャネルを送信し得る。
【００５１】
図７Ａおよび図７Ｂに示す設計では、ｅＮＢは、レガシーＵＥをサポートするサブフレーム中の（ＮｅｗＢＷ帯域幅上ではなく）Ｒ８ＢＷ帯域幅上でのみ、レガシーＵＥと新しいＵＥの両方のための制御チャネルを送信し得る。次いで、レガシーＵＥおよび新しいＵＥは、制御情報についてＲ８ＢＷ帯域幅のみを監視し得る。この設計は以下の利点を有し得る。
【００５２】
・  ΔＮｅｗＢＷ帯域幅のより効率的な利用を可能にする
・  新しいＵＥがより小さいシステム帯域幅を監視することを可能にし、結果として、複雑さが緩和され、電力消費量が低減され得る
複雑さの緩和および電力消費量の低減は、たとえば、２０ＭＨｚ未満のより小さいシステム帯域幅を監視するように設計された低カテゴリＵＥにとって特に望ましいことがある。たとえば、システムは、Ｒ８ＢＷ帯域幅のための１０ＭＨｚとＮｅｗＢＷ帯域幅のための２０ＭＨｚとをサポートし得る。新しいＵＥは、オーバーヘッドチャネルおよび信号について中央の１０ＭＨｚだけを監視し得るが、全体の２０ＭＨｚにわたってデータを受信し得る。したがって、新しいＵＥは、制御領域とデータ領域とに対して異なる帯域幅を有し得る。
【００５３】
別の設計では、新しい制御チャネルは、ダウンリンクのためのΔＮｅｗＢＷ帯域幅および／またはアップリンクのためのΔＮｅｗＢＷＵＬ帯域幅上で送信され得る。新しい制御チャネルは、（ｉ）ダウンリンク上では制御領域中のＲ８ＢＷ帯域幅上で送信される制御チャネル、および／または（ｉｉ）アップリンク上では制御領域中で送信されるＰＵＣＣＨと同様であり得る。ただし、新しい制御チャネルのためのインターリービングおよびホッピングは、ダウンリンク上ではΔＮｅｗＢＷ帯域幅に、またはアップリンク上ではΔＮｅｗＢＷＵＬ帯域幅に制限され得る。この設計は、Ｒ８ＢＷ帯域幅上で送信される制御チャネルがレガシーＵＥと新しいＵＥの両方をサポートするのに十分でないときに使用され得る。これは、たとえば、（たとえば、低コストＵＥをサポートするために）Ｒ８ＢＷ帯域幅が極めて小さく、ＮｅｗＢＷ帯域幅がはるかに大きい場合であり得る。この設計は、異なるタイプのセル（たとえば、マクロセル、フェムトセル、ピコセル）間および／または中継局間の干渉緩和など、追加の機能をサポートするためにも使用され得る。
【００５４】
ダウンリンクおよびアップリンクのための制御チャネルは、ダウンリンクのための第１および第２のシステム帯域幅上、ならびにアップリンクのための第３および第４のシステム帯域幅上でレガシーＵＥおよび新しいＵＥの動作をサポートするために、様々な方法で送信され得る。ダウンリンクおよびアップリンクのためのいくつかの制御チャネルの動作について、以下でさらに詳細に説明する。
【００５５】
ＰＨＩＣＨは、ダウンリンク上で送信され得、アップリンク上でのデータ送信をサポートするためにＡＣＫ／ＮＡＣＫ情報を搬送し得る。ＰＨＩＣＨは、パラメータＮgを１／６、１／２、１および２の４つの可能な値のうちの１つに設定することによって、構成可能な量のリソースを割り振られ得る。Ｎgは、ＭＩＢ中でブロードキャストされ、すべてのＵＥにとって利用可能になり得る。ＰＨＩＣＨのためのリソースはＰＨＩＣＨグループ単位で与えられ得る。各ＰＨＩＣＨグループは、１２個のリソース要素を含み得、最大８つのＡＣＫ／ＮＡＣＫを搬送し得る。ＬＴＥ  Ｒｅｌｅａｓｅ  ８では、ＦＤＤにおいてＰＨＩＣＨに割り振られるＰＨＩＣＨグループの数は次のように表され得る。
【数２】
2014239474.tif 000006
【００５６】
異なるＵＥのための複数のシステム帯域幅がサポートされるとき、ＰＨＩＣＨグループの数（したがって、ＰＨＩＣＨのためのリソースの量）は様々な方法で定義され得る。レガシーＵＥのためのＰＨＩＣＨグループの数は、レガシーＵＥに適用可能なＲ８ＢＷ帯域幅に基づいて定義され得る。１つの設計では、新しいＵＥのためのＰＨＩＣＨグループの数も、Ｒ８ＢＷ帯域幅に基づいて定義され得、次のように表され得る。
【数３】
2014239474.tif 000007
【００５７】
式（３）に示す設計は、ＰＨＩＣＨが、Ｒ８ＢＷ帯域幅上で送信され、レガシーＵＥと新しいＵＥの両方をサポートすることを可能にし得る。別の設計では、新しいＵＥのためのＰＨＩＣＨグループの数は、ＮｅｗＢＷ帯域幅に基づいて定義され得る。この設計は、たとえば、Ｒ８ＢＷが比較的小さいときに使用され得る。
【００５８】
ＰＤＣＣＨは、ダウンリンク上で送信され得、ＵＥのためのダウンリンク許可および／またはアップリンク許可を搬送し得る。ダウンリンク許可は、ダウンリンク上でのデータ送信のための様々なパラメータ（たとえば、割り振られたダウンリンクリソース）を搬送し得る。アップリンク許可は、アップリンク上でのデータ送信のための様々なパラメータ（たとえば、割り振られたアップリンクリソース）を搬送し得る。許可は、割当てなどとも呼ばれることがある。
【００５９】
ＬＴＥ  Ｒｅｌｅａｓｅ  ８は、タイプ０、タイプ１、およびタイプ２と呼ばれる３つのダウンリンクリソース割振り方式をサポートする。リソース割振りタイプ０および１は、ＵＥに割り当てられた物理リソースブロック（ＰＲＢ）を示すビットマップに基づく。リソース割振りタイプ２は、マッピング関数に基づいてＰＲＢにマッピングされる、連続する仮想リソースブロック（ＶＲＢ）の割当てに基づく。
【００６０】
リソース割振りタイプ０および１では、利用可能なＰＲＢがＮRBG個のリソースブロックグループ（ＲＢＧ）に編成され、各ＲＢＧがＰ個の（または場合によってはより少ない）連続するＰＲＢを含む。Ｐは、システム帯域幅に依存し、表３に与えられる。ＮRBGは、ＰＲＢの総数とＰの値とに依存する。割振りタイプ１では、利用可能なＲＢＧはいくつかのＲＢＧサブセットにさらに編成され、各ＲＢＧサブセットはＲＢＧの一部を含む。各ＲＢＧサブセットは、そのサブセット中に含まれるＲＢＧ中のＶ個の（または場合によってはより少ない）ＰＲＢを含み得る。
【表３】
2014239474.tif 000008
【００６１】
リソース割振りタイプ０では、ＵＥは、ＮRBG個のＲＢＧのうちのいずれか１つを割り振られ得る。ダウンリンクリソースをＵＥに割り当てるために、ＮRBGビットのビットマップが使用され得る。ビットマップの各ビットは、１つのＲＢＧに関連付けられ得、（ｉ）関連するＲＢＧ中のＰＲＢがＵＥに割り当てられることを示す第１の値（たとえば、「１」）、または（ｉｉ）関連するＲＢＧ中のＰＲＢがＵＥに割り当てられないことを示す第２の値（たとえば、「０」）に設定され得る。
【００６２】
リソース割振りタイプ１では、ＵＥは、選択されたＲＢＧサブセット中のＰＲＢのうちのいずれか１つを割り振られ得る。ダウンリンクリソースをＵＥに割り当てるために、Ｖビットのビットマップが使用され得る。ビットマップの各ビットは、選択されたＲＢＧサブセット中の１つのＰＲＢに関連付けられ得、（ｉ）関連するＰＲＢがＵＥに割り当てられることを示す第１の値（たとえば、「１」）、または（ｉｉ）関連するＰＲＢがＵＥに割り当てられないことを示す第２の値（たとえば、「０」）に設定され得る。
【００６３】
リソース割振りタイプ０では、ダウンリンクリソースは、ＲＢＧ単位で、およびＰ個のＰＲＢの倍数でＵＥに割り当てられ得る。リソース割振りタイプ１では、ダウンリンクリソースはＲＢＧ単位でＵＥに割り当てられ得るが、ビットマップはＲＢＧに基づいて定義され得る。
【００６４】
レガシーＵＥと新しいＵＥとに対して異なるシステム帯域幅がサポートされるとき、ダウンリンクリソースは様々な方法で割り当てられ得る。１つの設計では、第１のＲＢＧサイズ（ＰR8）は、Ｒ８ＢＷ帯域幅に基づいて判断され得、レガシーＵＥに適用可能であり得る。第２のＲＢＧサイズ（Ｐnew）は、ＮｅｗＢＷ帯域幅に基づいて判断され得、新しいＵＥに適用可能であり得る。ＰR8は、Ｒ８ＢＷ帯域幅およびＮｅｗＢＷ帯域幅に応じて、Ｐnewに等しいことも等しくないこともある。さらに、ＰR8は、Ｐnewで割り切れることも割り切れないこともある。たとえば、ＮｅｗＢＷ帯域幅が１００個のＰＲＢを含むとき、Ｐnewは４に等しくなり得、Ｒ８ＢＷ帯域幅が５０個のＰＲＢを含むとき、ＰR8は３に等しくなり得る。ＰnewがＰR8で割り切れないとき、同じサブフレーム中でレガシーＵＥと新しいＵＥとをスケジュールすることはより困難であり得る。
【００６５】
１つの設計では、Ｐnewは、スケジューリングを簡略化し、リソース衝突を回避し、断片化を最小限に抑えるために、（たとえば、Ｒ８ＢＷ帯域幅およびＮｅｗＢＷ帯域幅の適切な選択によって）ＰR8で割り切れるように定義され得る。ＰnewがＰR8で割り切れない場合、リソース衝突と断片化とを最小限に抑え得るようにスケジューリングが実行され得る。これは、たとえば、ＰnewとＰR8の最小公倍数単位でＰＲＢを割り当てることによって、またはリソース割振りタイプ０と１との混合を使用することによって、および／または他の方式に基づいて達成され得る。
【００６６】
リソース割振りタイプ２では、ＵＥは、連続して配置または分散されたＶＲＢのセットを割り振られ得る。インデックスｎVRBをもつ配置されたＶＲＢは、ｎPRB＝ｎVRBとなるように、インデックスｎPRBをもつＰＲＢに直接マッピングされ得る。インデックスｎVRBをもつ分散されたＶＲＢは、マッピング関数ｆ（）に基づいて、ｎPRB＝ｆ（ｎVRB）となるように、インデックスｎPRBをもつＰＲＢにマッピングされ得る。
【００６７】
ＬＴＥ  Ｒｅｌｅａｓｅ  ８では、マッピング関数ｆ（）は、システム帯域幅に依存するギャップパラメータＮgapに基づく。表４に、異なるシステム帯域幅のためのＮgap1およびＮgap2を示す。Ｎgapは、ダウンリンク許可中で伝達されたＮgap1とＮgap2のいずれかに等しくなり得る。ギャップパラメータは、連続するＶＲＢが、異なるスロット中でできる限り分離された不連続ＰＲＢにマッピングされるように定義される。
【表４】
2014239474.tif 000009
【００６８】
レガシーＵＥと新しいＵＥとに対して異なるシステム帯域幅がサポートされるとき、分散リソース割振りタイプ２は様々な方法で実装され得る。１つの設計では、第１のギャップ値Ｎgap,R8が、Ｒ８ＢＷ帯域幅に基づいて判断され得、レガシーＵＥに適用可能であり得る。第２のギャップ値Ｎgap,newは、ＮｅｗＢＷ帯域幅に基づいて判断され得、新しいＵＥに適用可能であり得る。Ｎgap,R8で割り切れるＮgap,newを有することが望ましいことがある。Ｎgap,newがＮgap,R8で割り切れない場合、リソース衝突を回避することができるようにスケジューリングが実行され得る。
【００６９】
別の設計では、Ｒ８ＢＷ帯域幅とΔＮｅｗＢＷ帯域幅とは、新しいＵＥのために別様に扱われ得る。新しいＵＥは、Ｒ８ＢＷ帯域幅および／またはΔＮｅｗＢＷ帯域幅中のＶＲＢを割り当てられ得る。割り当てられたＶＲＢがＲ８ＢＷ帯域幅内にある場合、ＮgapはＲ８ＢＷ帯域幅に基づいて判断され得、ＶＲＢはＮgapに基づいてレガシーＵＥと同様の方法でＰＲＢにマッピングされ得る。ただし、割り当てられたＶＲＢがΔＮｅｗＢＷ帯域幅内にある場合、Ｎgapは、（ｉ）追加の帯域幅がＲ８ＢＷ帯域幅の片側のみにある場合、ΔＮｅｗＢＷ帯域幅、または（ｉｉ）追加の帯域幅がＲ８ＢＷ帯域幅の両側に分割されている場合、ΔＮｅｗＢＷ／２帯域幅のいずれかに基づいて判断され得る。次いで、ＶＲＢは、Ｎgapに基づいて、ΔＮｅｗＢＷ帯域幅中のＰＲＢにマッピングされ得る。この設計では、ホッピングはΔＮｅｗＢＷ帯域幅内に自蔵され得る。
【００７０】
さらに別の設計では、ΔＮｅｗＢＷ帯域幅内にあるＶＲＢのためにミラーホッピングが使用され得る。ミラーホッピングによって、ＶＲＢは、（ｉ）１つのスロット中のシステム帯域幅の一方のエッジから特定の距離にある１つのＰＲＢと、（ｉｉ）別のスロット中のシステム帯域幅の反対のエッジから等しい距離にある別のＰＲＢとにマッピングされ得る。
【００７１】
一例として、Ｒ８ＢＷ帯域幅は、０〜２４のインデックスをもつ２５個のＰＲＢを含み得、ＮｅｗＢＷ帯域幅は、０〜２６のインデックスをもつ２７個のＰＲＢを含み得る。ΔＮｅｗＢＷ帯域幅は、２つのＰＲＢ、すなわちＲ８ＢＷ帯域幅の各側に１つのＰＲＢを含み得る。Ｒ８ＢＷ帯域幅のＰＲＢ０〜２４は、ＮｅｗＢＷ帯域幅のＰＲＢ１〜２５に対応し得る。新しいＵＥは、開始インデックスが０である３つの連続するＶＲＢを割り当てられ得る。第１のＶＲＢ０は、たとえば、ミラーホッピングによって、１つのスロット中ＰＲＢ０と別のスロット中のＰＲＢ２６とにマッピングされ得る。したがって、ＶＲＢ０はΔＮｅｗＢＷ帯域幅内のＰＲＢにマッピングされ得る。残りのＶＲＢ１およびＶＲＢ２は、レガシーＵＥのために使用されるマッピング関数に基づいてＲ８ＢＷ帯域幅内のＰＲＢにマッピングされ得る。
【００７２】
１つの設計では、Ｒ８ＢＷ帯域幅内のＰＲＢおよびＶＲＢ、ならびにＮｅｗＢＷ帯域幅内のＰＲＢおよびＶＲＢは、たとえば、上記の例によって示されるように、異なるインデックスを割り当てられ得る。この設計では、所与のＰＲＢまたはＶＲＢは、Ｒ８ＢＷ帯域幅とＮｅｗＢＷ帯域幅とに対して異なるインデックスを有し得る。別の設計では、Ｒ８ＢＷ帯域幅内のＰＲＢおよびＶＲＢは一意のインデックスを割り当てられ得、ΔＮｅｗＢＷ帯域幅内のＰＲＢおよびＶＲＢも一意のインデックスを割り当てられ得る。この設計では、所与のＰＲＢまたはＶＲＢは、Ｒ８ＢＷ帯域幅とＮｅｗＢＷ帯域幅とに対して同じインデックスを有し得る。概して、Ｒ８ＢＷ帯域幅内およびＮｅｗＢＷ帯域幅内のＰＲＢおよびＶＲＢは、様々な方法でインデックスを割り当てられ得る。分散リソース割振りタイプ２のためのＶＲＢからＰＲＢへのマッピングは、ＰＲＢおよびＶＲＢに割り当てられるインデックスに依存し得る。
【００７３】
ＬＴＥ  Ｒｅｌｅａｓｅ  ８は、ホッピングなし、タイプ１ＰＵＳＣＨホッピング、およびタイプ２ＰＵＳＣＨホッピングと呼ばれる３つのアップリンクリソース割振り方式をサポートする。３つのリソース割振り方式のすべてでは、ＵＥは、データ領域中のＰＵＳＣＨのために１つまたは複数の連続するＶＲＢを割り当てられ得る。ホッピングなしでは、ＶＲＢは、サブフレームの両方のスロット中の同じＰＲＢにマッピングされ得る。タイプ１ＰＵＳＣＨホッピングでは、ＶＲＢは、ダウンリンクのためのギャップパラメータと同様であり得る固定オフセットに基づいて、サブフレームの第１のスロット中および第２のスロット中の異なるＰＲＢにマッピングされ得る。タイプ２ＰＵＳＣＨホッピングでは、ＶＲＢは、ミラーホッピングおよび／またはサブバンドホッピングに基づいて、サブフレームの第１のスロット中および第２のスロット中の異なるＰＲＢにマッピングされ得る。
【００７４】
レガシーＵＥと新しいＵＥとに対して異なるシステム帯域幅がサポートされるとき、タイプ１およびタイプ２ＰＵＳＣＨホッピングは様々な方法で実装され得る。１つの設計では、レガシーＵＥのためのＰＵＳＣＨホッピングはＲ８ＢＷＵＬ帯域幅に基づき得、新しいＵＥのためのＰＵＳＣＨホッピングはＮｅｗＢＷＵＬ帯域幅に基づき得る。スケジューリングは、レガシーＵＥと新しいＵＥとの間の衝突を回避する方法で実行され得る。
【００７５】
別の設計では、Ｒ８ＢＷＵＬ帯域幅とΔＮｅｗＢＷＵＬ帯域幅とは、新しいＵＥのために別様に扱われ得る。新しいＵＥは、Ｒ８ＢＷＵＬ帯域幅および／またはΔＮｅｗＢＷＵＬ帯域幅中のＶＲＢを割り当てられ得る。割り当てられたＶＲＢがＲ８ＢＷＵＬ帯域幅内にある場合、ＰＵＳＣＨホッピングはＲ８ＢＷＵＬ帯域幅に基づき得、ＶＲＢはレガシーＵＥと同様の方法でＰＲＢにマッピングされ得る。ただし、割り当てられたＶＲＢがΔＮｅｗＢＷＵＬ帯域幅内にある場合、ＰＵＳＣＨホッピングは、（ｉ）追加の帯域幅がＲ８ＢＷＵＬ帯域幅の片側のみにある場合、ΔＮｅｗＢＷＵＬ帯域幅、または（ｉｉ）追加の帯域幅がＲ８ＢＷＵＬ帯域幅の両側に分割されている場合、ΔＮｅｗＢＷＵＬ／２帯域幅のいずれかに基づき得る。次いで、ＶＲＢは、ΔＮｅｗＢＷＵＬ帯域幅中のＰＲＢにマッピングされ得る。この設計では、ＰＵＳＣＨホッピングはΔＮｅｗＢＷＵＬ帯域幅内に自蔵され得る。さらに別の設計では、ΔＮｅｗＢＷＵＬ帯域幅内にあるＶＲＢのためにミラーホッピングが使用され得る。
【００７６】
１つの設計では、Ｒ８ＢＷＵＬ帯域幅内のＰＲＢおよびＶＲＢ、ならびにＮｅｗＢＷＵＬ帯域幅内のＰＲＢおよびＶＲＢは、異なるインデックスを割り当てられ得る。この設計では、所与のＰＲＢまたはＶＲＢは、Ｒ８ＢＷＵＬ帯域幅とＮｅｗＢＷＵＬ帯域幅とに対して異なるインデックスを有し得る。別の設計では、Ｒ８ＢＷＵＬ帯域幅内のＰＲＢおよびＶＲＢは一意のインデックスを割り当てられ得、ΔＮｅｗＢＷＵＬ帯域幅内のＰＲＢおよびＶＲＢも一意のインデックスを割り当てられ得る。この設計では、所与のＰＲＢまたはＶＲＢは、Ｒ８ＢＷＵＬ帯域幅とＮｅｗＢＷＵＬ帯域幅とに対して同じインデックスを有し得る。概して、Ｒ８ＢＷＵＬ帯域幅内およびＮｅｗＢＷＵＬ帯域幅内のＰＲＢおよびＶＲＢは、様々な方法でインデックスを割り当てられ得る。
【００７７】
レガシーＵＥおよび新しいＵＥが、チャネル推定、チャネル品質測定、および／または他の機能を実行することを可能にするために、ｅＮＢはダウンリンク上でセル固有基準信号（ＣＲＳ）を送信し得る。ｅＮＢは様々な方法でＣＲＳを送信し得る。
【００７８】
図８に、通常の巡回プレフィックスをもつサブフレーム中での、４つのアンテナをもつｅＮＢによるＣＲＳの送信を示す。ｅＮＢは、シンボル期間０、４、７および１１中にアンテナ０および１からＣＲＳを送信し、シンボル期間１および８中にアンテナ２および３からＣＲＳを送信し得る。図８において、ラベルＲaをもつ所与のリソース要素について、アンテナａからそのリソース要素上で基準シンボルが送信されることがあり、他のアンテナからそのリソース要素上で変調シンボルが送信されないことがある。図８に示すように、ＣＲＳは、各アンテナから６サブキャリアごとに送信され得る。アンテナ０（またはアンテナ２）のＣＲＳのために使用されるサブキャリアは、アンテナ１（またはアンテナ３）のＣＲＳのために使用されるサブキャリアから３サブキャリアだけオフセットされ得る。ｅＮＢが２つアンテナを有する場合、ｅＮＢはシンボル期間０、４、７および１１中にアンテナ０および１からＣＲＳを送信し得る。
【００７９】
ＣＲＳのための変調シンボルは、擬似ランダム系列に基づいて生成され得る。この擬似ランダム系列は、各ＯＦＤＭシンボルの開始時にｃinitの値を用いて初期化され得る。擬似ランダム系列の最初の１６００ビットは廃棄され得、後続のビットの各ペアは、ＣＲＳのための変調／基準シンボルを生成するために使用され得る。
【００８０】
１つの設計では、ＣＲＳは、ＬＴＥ  Ｒｅｌｅａｓｅ  ８と同様にＲ８サブフレームおよび混合サブフレーム中のＲ８ＢＷ帯域幅上で送信され得る。１つの設計では、ＣＲＳは、レガシーＵＥのための互換性を維持するために、新しいサブフレーム中のＲ８ＢＷ帯域幅上で、たとえば、２つアンテナのための最初のＯＦＤＭシンボル中で、または４つのアンテナのための最初の２つシンボル中で送信され得る。
【００８１】
１つの設計では、ＣＲＳはサブフレームのΔＮｅｗＢＷ帯域幅上で送信され得る。別の設計では、ＵＥ固有の基準信号（ＵＥ−ＲＳ）がサブフレームのΔＮｅｗＢＷ帯域幅上で送信され得る。さらに別の設計では、１つまたは複数の新しいタイプのＣＲＳ（たとえば、チャネル品質測定値のために使用されるチャネル状態情報基準信号（ＣＳＩ−ＲＳ））が、サブフレームのΔＮｅｗＢＷ帯域幅上で送信され得る。概して、０個以上の基準信号がサブフレームのΔＮｅｗＢＷ帯域幅上で送信され得る。
【００８２】
ＣＲＳは、サブフレームのΔＮｅｗＢＷ帯域幅上で様々な方法で送信され得る。１つの設計では、ΔＮｅｗＢＷ帯域幅中のＣＲＳは、Ｒ８ＢＷ帯域幅中のＣＲＳを拡張することによって生成され得る。これは、Ｒ８ＢＷ帯域幅中と同じＯＦＤＭシンボル中で、同じサブキャリアシフトおよびスタガリングパターンを用いてＣＲＳを送信することによって達成され得る。所与のアンテナでは、ＣＲＳのために使用されるサブキャリアは６つのサブキャリアだけ離れて離間し得、同じサブキャリア間隔が、Ｒ８ＢＷとΔＮｅｗＢＷとの境界を越えて継続され得る。
【００８３】
擬似ランダム系列も、Ｒ８ＢＷとΔＮｅｗＢＷとの境界を越えて拡張され得る。擬似ランダム系列発生器は、ΔＮｅｗＢＷ帯域幅中のＣＲＳのためのより多くのビットを生成するために、（必要な場合）Ｒ８ＢＷ帯域幅中の最高周波数を超えて動作し得る。擬似ランダム系列発生器はまた、ΔＮｅｗＢＷ帯域幅中のＣＲＳのためのビットを生成するために、（必要な場合）Ｒ８ＢＷ帯域幅中の最低周波数未満で動作し得る。ＬＴＥ  Ｒｅｌｅａｓｅ  ８では、擬似ランダム系列は、初期化され、次いで、ＣＲＳのために使用される最初のビットを取得する前に１６００ビットだけ進められる。１つの設計では、Ｒ８ＢＷ帯域幅よりも低い、ΔＮｅｗＢＷ部分中のＣＲＳのために十分な数のビットを生成することができるように、１６００ビットの最初の進みは相応に低減され得る。
【００８４】
別の設計では、Ｒ８ＢＷ帯域幅よりも低いΔＮｅｗＢＷ部分中のＣＲＳのための擬似ランダム系列は、ラップアラウンド様式で生成され得る。この設計では、擬似ランダム系列発生器は、Ｒ８ＢＷ帯域幅よりも高いΔＮｅｗＢＷ部分中のＣＲＳのためにより多くのビットを生成するように動作し得る。擬似ランダム系列発生器は、Ｒ８ＢＷ帯域幅よりも低いΔＮｅｗＢＷ部分中のＣＲＳのためにより多くのビットを生成するようにさらに動作し得る。したがって、擬似ランダム系列は、Ｒ８ＢＷ帯域幅からより高いΔＮｅｗＢＷ部分に継続し、次いでより低いΔＮｅｗＢＷ部分にさらに継続し得る。たとえば、図４Ｃに示すように、より高いΔＮｅｗＢＷ部分が０個のサブキャリアを含む場合でも、このラップアラウンド設計が使用され得る。ΔＮｅｗＢＷ帯域幅中のＣＲＳのためのビットは、他の方法でも生成され得る。
【００８５】
上記で説明した設計は、ＵＥ−ＲＳおよびＣＳＩ−ＲＳなど、他のタイプの基準信号のためにも使用され得る。たとえば、ＵＥ−ＲＳまたはＣＳＩ−ＲＳのためのＰＮ系列は、上記で説明した設計のいずれかに基づいて生成され得る。
【００８６】
ＰＵＣＣＨは、アップリンク上で送信され得、ＵＥからの制御情報を搬送し得る。１つの設計では、アップリンクのための制御領域は、（たとえば、ダウンリンクのための制御領域をＲ８ＢＷ帯域幅に制限するのと同様の方法で）Ｒ８ＢＷＵＬ帯域幅に制限され得る。
【００８７】
図９に、レガシーＵＥと新しいＵＥとに対して異なるシステム帯域幅をもつアップリンクのための制御領域およびデータ領域の設計を示す。この設計では、アップリンクのための制御領域は、Ｒ８ＢＷＵＬ帯域幅の２つの端から定義され得、中心周波数に向かって伸び得る。レガシーＵＥおよび新しいＵＥのための第１のデータ領域は、制御領域のために使用されないＲ８ＢＷＵＬ帯域幅中の残りの周波数をカバーし得る。新しいＵＥのための第２のデータ領域は、ΔＮｅｗＢＷＵＬ帯域幅をカバーし得る。第１のデータ領域はＲ８／新しいデータ領域と呼ばれることがあり、第２のデータ領域は新しいデータ領域と呼ばれることがある。
【００８８】
図９に示す設計では、レガシーＵＥおよび新しいＵＥは、たとえば、ＬＴＥ  Ｒｅｌｅａｓｅ  ８において指定されているように、Ｒ８ＢＷ帯域幅をシステム帯域幅として扱うことによって、制御領域中のＰＵＣＣＨ上で制御情報を送信し得る。制御領域は、レガシーＵＥと新しいＵＥとによって共有され得る。レガシーＵＥは、Ｒ８／新しいデータ領域中でのデータ送信のためにスケジュールされ得る。新しいＵＥは、Ｒ８／新しい領域および／または新しいデータ領域中でのデータ送信のためにスケジュールされ得る。
【００８９】
ＵＥは、ｅＮＢがアップリンクのチャネル品質を推定することを可能にするために、周期的にサウンディング基準信号（ＳＲＳ）を送信するように構成され得る。レガシーＵＥは、Ｒ８ＢＷＵＬ帯域幅上でのみＳＲＳを送信し得る。１つの設計では、新しいＵＥは、Ｒ８ＢＷＵＬ帯域幅上でのみＳＲＳを送信し得、ΔＮｅｗＢＷＵＬ帯域幅上では送信しない。この設計は、２０ＭＨｚ未満のシステム帯域幅を監視し得る低カテゴリＵＥのために使用され得る。この設計は、Ｒ８ＢＷＵＬ帯域幅上でのみスケジュールされ得る新しいＵＥのためにも使用され得る。
【００９０】
別の設計では、新しいＵＥは、ＮｅｗＢＷＵＬ帯域幅上でＳＲＳを送信し得る。第１の設計では、たとえば、ダウンリンク上のＣＳＲのために上記で説明した機能を使用し、ＳＲＳはＲ８ＢＷＵＬ帯域幅とΔＮｅｗＢＷＵＬ帯域幅とに対して別々に定義され得る。第２の設計では、ＳＲＳは、ＮｅｗＢＷＵＬ帯域幅全体のために定義され得る。第２の設計では、レガシーＵＥおよび新しいＵＥは、ＳＲＳ送信について、レガシーＵＥと新しいＵＥとの間の衝突を回避することができるようにスケジュールされ得る。新しいＵＥは、第１または第２の設計に基づいてＳＲＳを送信するように、（たとえば、シグナリングビットを介して）構成され得る。このシグナリングビットは、（ｉ）半静的であり、上位レイヤ（たとえば、レイヤ３）シグナリングを介して送られ、または（ｉｉ）動的であり、下位レイヤ（たとえば、レイヤ１または２）シグナリングを介して送信され得る。
【００９１】
ＵＥは、ダウンリンクのチャネル品質を推定し得、ダウンリンクチャネル品質を示すＣＱＩ情報を送り得る。システム帯域幅は、いくつかのサブバンドに区分され得る。ＵＥは、ダウンリンクチャネル品質を推定し得、当該の各サブバンドのＣＱＩ情報を送り得る。
【００９２】
レガシーＵＥは、ダウンリンクチャネル品質を推定し得、たとえば、ＬＴＥ  Ｒｅｌｅａｓｅ  ８において定義されているＲ８ＢＷ帯域幅に基づいて定義されたサブバンドのＣＱＩ情報を送り得る。新しいＵＥは、ダウンリンクチャネル品質を推定し、様々な方法で定義され得るサブバンドについてＣＱＩ情報を送り得る。
【００９３】
１つの設計では、ＮｅｗＢＷ帯域幅はサブバンドに区分され得、新しいＵＥは、これらのサブバンドについてＣＱＩ情報を報告し得る。この設計では、ＮｅｗＢＷ帯域幅のサブバンドは、Ｒ８ＢＷ帯域幅のサブバンドに一致しないことがある。別の設計では、ＮｅｗＢＷ帯域幅のＲ８ＢＷ部分は、Ｒ８ＢＷ帯域幅の場合と同様の方法でサブバンドに区分され得、ΔＮｅｗＢＷ帯域幅は１つまたは複数の追加のサブバンドに区分され得る。この設計では、ＮｅｗＢＷ帯域幅のサブバンドは、Ｒ８ＢＷ帯域幅のサブバンドならびに１つまたは複数の追加のサブバンドを含み得る。ΔＮｅｗＢＷ帯域幅上の干渉レベルがＲ８ＢＷ帯域幅上の干渉レベルと実質的に異なる場合は、この設計が好ましいことがある。これは、たとえば、少数のガードサブキャリアをもつフェムトセル環境の場合であり得る。
【００９４】
概して、任意のチャネルフィードバック情報は、ＣＱＩ情報について上記で説明した設計に基づいて伝達され得る。チャネルフィードバック情報は、チャネル品質を示すＣＱＩ情報、プリコーディング重みを示すプリコーディング行列インジケータ（ＰＭＩ）情報、送信すべきデータストリームの数を示すランクインジケータ（ＲＩ）情報、明示的および暗黙的フィードバック、（たとえば、ＣＳＩ−ＲＳに基づく）チャネルフィードバックなどを備え得る。Ｒ８ＢＷ帯域幅およびΔＮｅｗＢＷ帯域幅のチャネル状態情報は、別々にまたは一緒に送られ得る。たとえば、新しいＵＥは、（ｉ）ＮｅｗＢＷ帯域幅の広帯域ＣＱＩ報告、または（ｉｉ）Ｒ８ＢＷ帯域幅とΔＮｅｗＢＷ帯域幅とについて２つの個別のＣＱＩ報告を送り得る。２つの個別のＣＱＩ報告は、別々にまたは一緒に符号化され得る。
【００９５】
図１０に、通信をサポートするためのプロセス１０００の設計を示す。プロセス１０００は、（以下で説明するように）基地局／ｅＮＢによって、または何らかの他のエンティティによって実行され得る。基地局は、第１のシステム帯域幅（たとえば、Ｒ８ＢＷ帯域幅）上で少なくとも１つの第１のＵＥのための通信をサポートするための第１の制御情報を送信する（ブロック１０１２）。基地局は、第１のシステム帯域幅と重複する第２のシステム帯域幅（たとえば、ＮｅｗＢＷ帯域幅）上で、少なくとも１つの第２のＵＥのための通信をサポートするための第２の制御情報を送信する（ブロック１０１４）。基地局は、第１のシステム帯域幅上でデータを少なくとも１つの第１のＵＥに送信する（ブロック１０１６）。基地局は、第２のシステム帯域幅上でデータを少なくとも１つの第２のＵＥに送信する（ブロック１０１８）。
【００９６】
１つの設計では、図４Ａ、図４Ｂまたは図４Ｃに示すように、第２のシステム帯域幅は、第１のシステム帯域幅と完全に重複し得、第１のシステム帯域幅と追加の帯域幅（たとえばΔＮｅｗＢＷ帯域幅）とを備え得る。別の設計では、第２のシステム帯域幅は、第１のシステム帯域幅と部分的に重複し得、第１のシステム帯域幅の一部分と追加の帯域幅とを備え得る。
【００９７】
１つの設計では、基地局は、第１のシステム帯域幅上でのみ第２の制御情報を送信し、第２のシステム帯域幅上で（１つまたは複数の）第２のＵＥにデータを送信し得る。（１つまたは複数の）第２のＵＥは、制御情報とデータとに対して異なるシステム帯域幅を有し得る。
【００９８】
基地局は、様々な方法で第１および第２の制御情報を送信し得る。１つの設計では、基地局は、第１のシステム帯域幅上で少なくとも１つの制御チャネルを送信し得、少なくとも１つの制御チャネル上で第１および第２の制御情報を送信し得る。別の設計では、基地局は、第１のシステム帯域幅上で少なくとも１つの制御チャネルを送信し得、少なくとも１つの制御チャネル上で第１および第２の制御情報を送信し得る。基地局は、少なくとも１つの制御チャネル上で第１の制御情報を送信し得、少なくとも１つの制御チャネル上および／または少なくとも１つの追加の制御チャネル上で第２の制御情報を送信し得る。
【００９９】
第１および第２の制御情報を送信するために使用される（１つまたは複数の）制御チャネルには、十分なリソースが割り当てられ得る。１つの設計では、基地局は、第２のシステム帯域幅の代わりに第１のシステム帯域幅に基づいて、制御チャネル（たとえば、ＡＣＫ情報とＮＡＣＫ情報とを第１および第２のＵＥに送るために使用されるＰＨＩＣＨ）のリソースを判断し得る。
【０１００】
基地局は、様々な方法でデータを第１および第２のＵＥに送信し得る。１つの設計では、第１のシステム帯域幅は第１のサイズのＲＢＧに区分され得、第２のシステム帯域幅は第２のサイズのＲＢＧに区分され得る。第２のサイズは、第１のサイズとは異なり得、および／または第１のサイズの整数倍であり得る。基地局は、第１のサイズのＲＢＧに基づいて割り振られるリソース上で、データを（１つまたは複数の）第１のＵＥに送信し得る。基地局は、第２のサイズのＲＢＧに基づいて割り振られるリソース上で、データを（１つまたは複数の）第２のＵＥに送信し得る。
【０１０１】
別の設計では、基地局は、第１のギャップ値に基づく周波数ホッピングを用いてデータを（１つまたは複数の）第１のＵＥに送信し得、第２のギャップ値に基づく周波数ホッピングを用いてデータを（１つまたは複数の）第２のＵＥに送信し得る。第１および第２のギャップ値は、それぞれ、第１および第２のシステム帯域幅に基づいて判断され得、それぞれ、第１および第２のＵＥについて、ホッピングすべき量を決定し得る。第２のギャップ値は、第１のギャップ値とは異なり得、および／または第１のギャップ値の整数倍であり得る。
【０１０２】
さらに別の設計では、基地局は、第１のシステム帯域幅内の周波数ホッピングを用いてデータを（１つまたは複数の）第１のＵＥに送信し得る。基地局は、第２のシステム帯域幅内の周波数ホッピングを用いてデータを（１つまたは複数の）第２のＵＥに送信し得る。たとえば、基地局は、（ｉ）第１のシステム帯域幅にマッピングされたリソースについては第１のシステム帯域幅内の周波数ホッピングを用いて、および（ｉｉ）追加の帯域幅にマッピングされたリソースについては追加の帯域幅内の周波数ホッピングを用いて、データを（１つまたは複数の）第２のＵＥに送信し得る。
【０１０３】
１つの設計では、基地局は第１のシステム帯域幅上でのみＣＲＳを送信し得る。別の設計では、基地局は、第１のシステム帯域幅上でＣＲＳを送信し得、また追加の帯域幅上でＣＲＳおよび／または少なくとも１つの追加の基準信号を送信し得る。
【０１０４】
（１つまたは複数の）第１のＵＥは、ダウンリンクでは第１のシステム帯域幅上で通信し、アップリンクでは第３のシステム帯域幅（たとえば、Ｒ８ＢＷＵＬ帯域幅）上で通信し得る。（１つまたは複数の）第２のＵＥは、ダウンリンクでは第２のシステム帯域幅上で通信し、アップリンクでは第４のシステム帯域幅（たとえば、ＮｅｗＢＷＵＬ帯域幅）上で通信し得る。第４のシステム帯域幅は、第３のシステム帯域幅と重複し得、第３のシステム帯域幅と追加の帯域幅（たとえばΔＮｅｗＢＷＵＬ帯域幅）とを備え得る。
【０１０５】
１つの設計では、基地局は、第３のシステム帯域幅上で（１つまたは複数の）第１のＵＥから第３の制御情報を受信し、第３のシステム帯域幅上で（１つまたは複数の）第２のＵＥから第４の制御情報を受信し得る。１つの設計では、基地局は、第３のシステム帯域幅内の周波数ホッピングを用いて（１つまたは複数の）第１のＵＥによって送信されたデータを受信し得る。基地局は、（ｉ）第４のシステム帯域幅内の周波数ホッピングを用いて、または（ｉｉ）第３のシステム帯域幅にマッピングされたリソースについては第３のシステム帯域幅内の周波数ホッピングを用いて、および追加の帯域幅にマッピングされたリソースについては追加の帯域幅内の周波数ホッピングを用いて、（１つまたは複数の）第２のＵＥによって送信されたデータを受信し得る。
【０１０６】
１つの設計では、基地局は、（１つまたは複数の）第１のＵＥによって第３のシステム帯域幅上で送信された少なくとも１つのＳＲＳを受信し得る。基地局は、第３のシステム帯域幅上または第４のシステム帯域幅上でのみ、（１つまたは複数の）第２のＵＥによって送信された少なくとも１つの他のサウンディング基準信号を受信し得る。
【０１０７】
１つの設計では、基地局は、（１つまたは複数の）第１のＵＥから、第３のシステム帯域幅に基づいて定義された第１のサブバンドについて第１のＣＱＩ情報を受信し得る。１つの設計では、基地局は、（１つまたは複数の）第２のＵＥから、（ｉ）第４のシステム帯域幅に基づいて定義された第２のサブバンドについて、または（ｉｉ）アップリンクのための追加の帯域幅に基づいて定義された第１のサブバンドおよび少なくとも１つの追加のサブバンドについて、第２のＣＱＩ情報を受信し得る。
【０１０８】
基地局は、第１および第２のシステム帯域幅上で、第１および第２のＵＥのための通信を他の方法でサポートし得る。たとえば、基地局は、他の方法で第１および第２のＵＥに制御情報および／またはデータを送信し得る。基地局は、他のオーバーヘッドチャネルおよび／またはオーバーヘッド信号をＵＥに送信し得る。基地局はまた、第１および第２のＵＥから制御情報および／またはデータを他の方法で受信し得、および／またはＵＥから他のオーバーヘッド信号を受信し得る。
【０１０９】
図１１に、通信をサポートするための装置１１００の設計を示す。装置１１００は、第１のシステム帯域幅上で少なくとも１つの第１のＵＥのための通信をサポートするための第１の制御情報を送信するためのモジュール１１１２と、第１のシステム帯域幅と重複する第２のシステム帯域幅上で少なくとも１つの第２のＵＥのための通信をサポートするための第２の制御情報を送信するためのモジュール１１１４と、第１のシステム帯域幅上でデータを少なくとも１つの第１のＵＥに送信するためのモジュール１１１６と、第２のシステム帯域幅上でデータを少なくとも１つの第２のＵＥに送信するためのモジュール１１１８とを含む。
【０１１０】
図１２に、ワイヤレスシステムにおける通信のためのプロセス１２００の設計を示す。プロセス１２００は、（以下で説明するように）ＵＥによって、または何らかの他のエンティティによって実行され得る。ＵＥは、基地局から制御情報を受信する（ブロック１２１２）。基地局は、第１のシステム帯域幅上で少なくとも１つの第１のＵＥのための通信をサポートするための第１の制御情報を送信し得、第１のシステム帯域幅と重複する第２のシステム帯域幅上で少なくとも１つの第２のＵＥのための通信をサポートするための第２の制御情報を送信し得る。ＵＥは、少なくとも１つの第２のＵＥのうちの１つであり得る。ＵＥは、第２の制御情報の一部または全部を備え得る制御情報に基づいて基地局と通信する（ブロック１２１４）。
【０１１１】
１つの設計では、ＵＥは、第１のシステム帯域幅上でのみ基地局から制御情報を受信し得、第２のシステム帯域幅上で基地局からデータを受信し得る。したがって、ＵＥは、制御情報とデータとに対して異なるシステム帯域幅を有し得る。
【０１１２】
１つの設計では、ＵＥは制御チャネル（たとえば、ＰＨＩＣＨ）からＡＣＫ情報とＮＡＣＫ情報とを受信し得る。制御チャネルのリソースは、第２のシステム帯域幅の代わりに第１のシステム帯域幅に基づいて判断され得る。
【０１１３】
１つの設計では、ＵＥは、少なくとも１つのリソースブロック上で基地局によって送信されたデータを受信し得る。第１のシステム帯域幅は第１のサイズのＲＢＧに区分され得、第２のシステム帯域幅は第２のサイズのＲＢＧに区分され得る。第２のサイズは、第１のサイズとは異なり得、および／または第１のサイズの整数倍であり得る。少なくとも１つのリソースブロックは、第２のサイズのＲＢＧに基づいて判断され得る。別の設計では、ＵＥは、周波数ホッピングを用いて基地局によって送信されたデータを受信し得る。基地局は、第１のギャップ値に基づく周波数ホッピングを用いてデータを（１つまたは複数の）第１のＵＥに送信し得、第２のギャップ値に基づく周波数ホッピングを用いてデータを（１つまたは複数の）第２のＵＥに送信し得る。第２のギャップ値は、第１のギャップ値とは異なり得、および／または第１のギャップ値の整数倍であり得る。別の設計では、ＵＥは、第２のシステム帯域幅内の周波数ホッピングを用いて、たとえば、（ｉ）第１のシステム帯域幅にマッピングされたリソースについては第１のシステム帯域幅内で、および（ｉｉ）追加の帯域幅にマッピングされたリソースについては追加の帯域幅内で、基地局によって送信されたデータを受信し得る。ＵＥはまた、基地局によって他の方法で送信されたデータを受信し得る。
【０１１４】
１つの設計では、ＵＥは、基地局によって第１のシステム帯域幅上でのみ送信されたセル固有基準信号（ＣＲＳ）を受信し得る。別の設計では、ＵＥは、基地局によって第２のシステム帯域幅上で送信されたセル固有基準信号（ＣＲＳ）を受信し得る。
【０１１５】
１つの設計では、ＵＥは、（ｉ）第１のシステム帯域幅に基づいて定義されたサブバンド、または（ｉｉ）第２のシステム帯域幅に基づいて定義されたサブバンド、あるいは（ｉｉｉ）第１のシステム帯域幅に基づいて定義されたサブバンドおよび追加の帯域幅に基づいて定義された少なくとも１つの追加のサブバンドについて、チャネルフィードバック情報（たとえば、ＣＱＩ情報、ＰＭＩ情報、ＲＩ情報など）を基地局に送り得る。ＵＥは、第２のシステム帯域幅についてのチャネルフィードバック情報を備える単一の報告を送り得る。代替的に、ＵＥは、（ｉ）第１のシステム帯域幅についてのチャネルフィードバック情報を備える第１の報告と、（ｉｉ）追加の帯域幅についてのチャネルフィードバック情報を備える第２の報告とを送り得る。ＵＥは、第１の報告と第２の報告とを別々にまたは一緒に符号化し得る。
【０１１６】
（１つまたは複数の）第１のＵＥは、ダウンリンクでは第１のシステム帯域幅上で通信し、アップリンクでは第３のシステム帯域幅上で通信し得る。（１つまたは複数の）第２のＵＥは、ダウンリンクでは第２のシステム帯域幅上で通信し、アップリンクでは第４のシステム帯域幅上で通信し得る。第４のシステム帯域幅は、第３のシステム帯域幅と追加の帯域幅とを備え得る。
【０１１７】
１つの設計では、ＵＥは、第３のシステム帯域幅上で基地局にアップリンク制御情報を送信し得る。１つの設計では、ＵＥは、第４のシステム帯域幅内の周波数ホッピングを用いて基地局にデータを送信し得る。別の設計では、ＵＥは、（ｉ）第３のシステム帯域幅にマッピングされたリソースについては第３のシステム帯域幅内の周波数ホッピングを用いて、および（ｉｉ）追加の帯域幅にマッピングされたリソースについては追加の帯域幅内の周波数ホッピングを用いてデータを送信し得る。
【０１１８】
１つの設計では、ＵＥは、第３のシステム帯域幅上で、または第４のシステム帯域幅上で、基地局にＳＲＳを送信し得る。ＵＥはまた、他の基準信号を基地局に送信し得る。
【０１１９】
ＵＥは、他の方法で基地局から制御情報とデータとを受信し得る。ＵＥはまた、基地局から他のオーバーヘッドチャネルおよび／または信号を受信し得る。ＵＥはまた、他の方法で制御情報とデータとを基地局に送信し得、および／または他のオーバーヘッド信号を基地局に送信し得る。
【０１２０】
図１３に、通信をサポートするための装置１３００の設計を示す。装置１３００は、ＵＥにおいて基地局から制御情報を受信するためのモジュール１３１２と、制御情報に基づいて基地局と通信するためのモジュール１３１４とを含む。基地局は、第１のシステム帯域幅上で少なくとも１つの第１のＵＥのための通信をサポートするための第１の制御情報を送信し得、第１のシステム帯域幅と重複する第２のシステム帯域幅上で少なくとも１つの第２のＵＥのための通信をサポートするための第２の制御情報を送信し得る。ＵＥは、少なくとも１つの第２のＵＥのうちの１つであり得る。
【０１２１】
図１４に、通信をサポートするためのプロセス１４００の設計を示す。プロセス１４００は、（以下で説明するように）基地局／ｅＮＢによって、または何らかの他のエンティティによって実行され得る。基地局は、ダウンリンクでは第１のサブフレーム中の第１のシステム帯域幅上で少なくとも１つの第１のＵＥと通信する（ブロック１４１２）。基地局は、ダウンリンクでは第１のサブフレーム中の第１のシステム帯域幅上で少なくとも１つの第２のＵＥと通信する（ブロック１４１４）。第２のシステム帯域幅は第１のシステム帯域幅と重複し得、第１のサブフレームは第２のサブフレームとＴＤＭ化され得る。基地局は、アップリンクでは第３のサブフレーム中の第３のシステム帯域幅上で（１つまたは複数の）第１のＵＥと通信する（ブロック１４１６）。基地局は、アップリンクでは第４のサブフレーム中の第４のシステム帯域幅上で（１つまたは複数の）第２のＵＥと通信する（ブロック１４１８）。第４のシステム帯域幅は第３のシステム帯域幅と重複し得、第３のサブフレームは第４のサブフレームとＴＤＭ化され得る。
【０１２２】
１つの設計では、データ送信が（１つまたは複数の）第１のＵＥに送られた、第１のサブフレームごとに、第３のサブフレームが、所定の遅延後に、データ送信についてのＡＣＫ情報とＮＡＣＫ情報とを送るためにアップリンク上で利用可能にされ得る。１つの設計では、（１つまたは複数の）アップリンク許可が少なくとも１つの第１のＵＥに送られた、第１のサブフレームごとに、第３のサブフレームが、第１の所定の遅延後に、アップリンク上での（１つまたは複数の）第１のＵＥによるデータ送信のためにアップリンク上で利用可能にされ得る。（１つまたは複数の）第１のＵＥによって送られたデータ送信についてのＡＣＫ情報とＮＡＣＫ情報とを送るために、第２の所定の遅延後に、ダウンリンク上で別の第１のサブフレームも利用可能にされ得る。（１つまたは複数の）第２のＵＥのためのデータ送信は同様の方法でサポートされ得る。
【０１２３】
図１５に、通信をサポートするための装置１５００の設計を示す。装置１５００は、ダウンリンクのための第１のサブフレーム中の第１のシステム帯域幅上で少なくとも１つの第１のＵＥと通信するためのモジュール１５１２と、ダウンリンクのための第２のサブフレーム中の第２のシステム帯域幅上で少なくとも１つの第２のＵＥと通信するためのモジュール１５１４と、アップリンクのための第３のサブフレーム中の第３のシステム帯域幅上で少なくとも１つの第１のＵＥと通信するためのモジュール１５１６と、アップリンクのための第４のサブフレーム中の第４のシステム帯域幅上で少なくとも１つの第２のＵＥと通信するためのモジュール１５１８とを含む。第２のシステム帯域幅は第１のシステム帯域幅と重複し得、第４のシステム帯域幅は第３のシステム帯域幅と重複し得る。第１のサブフレームは第２のサブフレームとＴＤＭ化され、第３のサブフレームは第４のサブフレームとＴＤＭ化され得る。
【０１２４】
図１１、図１３および図１５中のモジュールは、プロセッサ、電子デバイス、ハードウェアデバイス、電子構成要素、論理回路、メモリ、ソフトウェアコード、ファームウェアコードなど、またはそれらの任意の組合せを備え得る。
【０１２５】
図１６に、図１の基地局／ｅＮＢの１つであり得る基地局／ｅＮＢ１１０および図１のＵＥの１つであり得るＵＥ１２０の設計のブロック図を示す。基地局１１０はＴ個のアンテナ１６３４ａ〜１６３４ｔを装備し得、ＵＥ１２０はＲ個のアンテナ１６５２ａ〜１６５２ｒを装備し得、ただし、一般にＴ≧１およびＲ≧１である。
【０１２６】
基地局１１０において、送信プロセッサ１６２０は、データソース１６１２から１つまたは複数のＵＥのデータを受信し、そのＵＥについて選択された１つまたは複数の変調および符号化方式に基づいて各ＵＥのデータを処理（たとえば、符号化および変調）し、すべてのＵＥのデータシンボルを与え得る。送信プロセッサ１６２０はまた、（たとえば、ＰＨＩＣＨ、ＰＤＣＣＨ、ＰＢＣＨなどについての）制御情報を処理し、制御シンボルを与え得る。送信プロセッサ１６２０はまた、同期信号と基準信号とのための基準シンボルを生成し得る。送信（ＴＸ）多入力多出力（ＭＩＭＯ）プロセッサ１６３０は、（適用可能な場合は）データシンボル、制御シンボル、および／または基準シンボルをプリコードし、Ｔ個の出力シンボルストリームをＴ個の変調器（ＭＯＤ）１６３２ａ〜１６３２ｔに供給し得る。各変調器１６３２は、（たとえば、ＯＦＤＭ用などに）その出力シンボルストリームを処理して出力サンプルストリームを取得し得る。各変調器１６３２はさらに、その出力サンプルストリームを調整（たとえば、アナログへの変換、フィルタ処理、増幅、およびアップコンバート）し、ダウンリンク信号を生成し得る。変調器１６３２ａ〜１６３２ｔからのＴ個のダウンリンク信号は、それぞれＴ個のアンテナ１６３４ａ〜１６３４ｔを介して送信され得る。
【０１２７】
ＵＥ１２０において、Ｒ個のアンテナ１６５２ａ〜１６５２ｒは、ｅＮＢ１１０からＴ個のダウンリンク信号を受信し得、各アンテナ１６５２は、受信信号を関連する復調器（ＤＥＭＯＤ）１６５４に供給し得る。各復調器１６５４は、その受信信号を調整（たとえば、フィルタ処理、増幅、ダウンコンバート、およびデジタル化）してサンプルを取得し、さらに（たとえば、ＯＦＤＭ用などに）そのサンプルを処理して受信シンボルを取得し得る。ＭＩＭＯ検出器１６６０は、すべての復調器１６５４から受信シンボルを取得し、適用可能な場合は受信シンボルに対してＭＩＭＯ検出を実行し、検出されたシンボルを与え得る。受信プロセッサ１６７０は、検出されたシンボルを処理（たとえば、復調および復号）し、ＵＥ１２０の復号されたデータをデータシンク１６７２に供給し、復号された制御情報をコントローラ／プロセッサ１６９０に供給し得る。
【０１２８】
アップリンク上では、ＵＥ１２０において、データソース１６７８からのデータ、およびコントローラ／プロセッサ１６９０からの（たとえば、ＰＵＣＣＨなどについての）制御情報は、送信プロセッサ１６８０によって処理され、適用可能な場合はＴＸ  ＭＩＭＯプロセッサ１６８２によってプリコードされ、変調器１６５４ａ〜１６５４ｒによってさらに処理され、基地局１１０に送信され得る。基地局１１０において、ＵＥ１２０からのアップリンク信号は、アンテナ１６３４によって受信され、復調器１６３２によって処理され、適用可能な場合はＭＩＭＯ検出器１６３６によって検出され、さらに受信プロセッサ１６３８によって処理されて、ＵＥ１２０によって送られたデータおよび制御情報が復元され得る。プロセッサ１６３８は、復元されたデータをデータシンク１６３９に供給し、復元された制御情報をコントローラ／プロセッサ１６４０に供給し得る。
【０１２９】
コントローラ／プロセッサ１６４０および１６９０は、それぞれ基地局１１０およびＵＥ１２０における動作を指示し得る。基地局１１０におけるプロセッサ１６４０および／または他のプロセッサおよびモジュールは、図１０のプロセス１０００、図１４のプロセス１４００、および／または本明細書で説明する技法のための他のプロセスを実行または指示し得る。ＵＥ１２０におけるプロセッサ１６９０および／または他のプロセッサおよびモジュールは、図１２のプロセス１２００、および／または本明細書で説明する技法のための他のプロセスを実行または指示し得る。メモリ１６４２および１６９２は、それぞれ基地局１１０およびＵＥ１２０のためのデータおよびプログラムコードを記憶し得る。スケジューラ１６４４は、ダウンリンク上および／またはアップリンク上でのデータ送信についてＵＥ１２０および／または他のＵＥをスケジュールし得る。
【０１３０】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３１】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【０１３２】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１３３】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１３４】
１つまたは複数の例示的な設計では、説明した機能は、ハードウェア、ソフトウェア、ファームウェア、またはそれらの組合せで実装され得る。ソフトウェアで実装する場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１３５】
本開示の前述の説明は、いかなる当業者でも本開示を作成または使用することができるように提供される。本開示への様々な修正は当業者には容易に明らかとなり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
【図１】
2014239474.tif 000010
【図２】
2014239474.tif 000011
【図３Ａ】
2014239474.tif 000012
【図３Ｂ】
2014239474.tif 000013
【図４Ａ】
2014239474.tif 000014
【図４Ｂ】
2014239474.tif 000015
【図４Ｃ】
2014239474.tif 000016
【図５】
2014239474.tif 000017
【図６】
2014239474.tif 000018
【図７Ａ】
2014239474.tif 000019
【図７Ｂ】
2014239474.tif 000020
【図７Ｃ】
2014239474.tif 000021
【図８】
2014239474.tif 000022
【図９】
2014239474.tif 000023
【図１０】
2014239474.tif 000024
【図１１】
2014239474.tif 000025
【図１２】
2014239474.tif 000026
【図１３】
2014239474.tif 000027
【図１４】
2014239474.tif 000028
【図１５】
2014239474.tif 000029
【図１６】
2014239474.tif 000030
【手続補正書】
【提出日】平成26年8月15日(2014.8.15)
【手続補正１】
【補正対象書類名】特許請求の範囲
【補正対象項目名】全文
【補正方法】変更
【補正の内容】
【特許請求の範囲】
【請求項１】
第１のシステム帯域幅上で少なくとも１つの第１のユーザ機器（ＵＥ）のための通信をサポートするための第１の制御情報を送信することと、
前記第１のシステム帯域幅と重複する第２のシステム帯域幅上で少なくとも１つの第２のＵＥのための通信をサポートするための第２の制御情報を送信することと
を備え、
前記第２のシステム帯域幅が、前記第１のシステム帯域幅と追加の帯域幅とを備え、前記第２の制御情報が、前記追加の帯域幅上で前記少なくとも１つの第２のＵＥに送信される、ワイヤレス通信のための方法。
【手続補正２】
【補正対象書類名】明細書
【補正対象項目名】０１３５
【補正方法】変更
【補正の内容】
【０１３５】
本開示の前述の説明は、いかなる当業者でも本開示を作成または使用することができるように提供される。本開示への様々な修正は当業者には容易に明らかとなり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
第１のシステム帯域幅上で少なくとも１つの第１のユーザ機器（ＵＥ）のための通信をサポートするための第１の制御情報を送信することと、
前記第１のシステム帯域幅と重複する第２のシステム帯域幅上で少なくとも１つの第２のＵＥのための通信をサポートするための第２の制御情報を送信することと
を備える、ワイヤレス通信のための方法。
［Ｃ２］
前記第２のシステム帯域幅が前記第１のシステム帯域幅と追加の帯域幅とを備える、Ｃ１に記載の方法。
［Ｃ３］
前記第２のシステム帯域幅上で前記少なくとも１つの第２のＵＥにデータを送信することをさらに備え、前記第２の制御情報が前記第１のシステム帯域幅上でのみ送信され、前記少なくとも１つの第２のＵＥが、制御情報とデータとに対して異なるシステム帯域幅を有するＣ２に記載の方法。
［Ｃ４］
前記第１のシステム帯域幅上で少なくとも１つの制御チャネルを送信することをさらに備え、前記第１および第２の制御情報が前記少なくとも１つの制御チャネル上で送信されるＣ１に記載の方法。
［Ｃ５］
前記第１のシステム帯域幅上で少なくとも１つの制御チャネルを送信することと、
前記追加の帯域幅上で少なくとも１つの追加の制御チャネルを送信することと
をさらに備え、前記第１の制御情報が前記少なくとも１つの制御チャネル上で送信され、前記第２の制御情報が、前記少なくとも１つの制御チャネル、または前記少なくとも１つの追加の制御チャネル、または両方の上で送信されるＣ２に記載の方法。
［Ｃ６］
前記第２のシステム帯域幅ではなく前記第１のシステム帯域幅に基づいて、前記第１および第２のＵＥに肯定応答（ＡＣＫ）情報と否定応答（ＮＡＣＫ）情報とを送るために使用される制御チャネルのリソースを判断すること
をさらに備える、Ｃ１に記載の方法。
［Ｃ７］
前記第１のシステム帯域幅が、第１のサイズのリソースブロックグループ（ＲＢＧ）に区分され、前記第２のシステム帯域幅が、第２のサイズのＲＢＧに区分され、前記第２のサイズが、前記第１のサイズとは異なるか、または前記第１のサイズの整数倍である、Ｃ１に記載の方法。
［Ｃ８］
前記第１のシステム帯域幅内の周波数ホッピングを用いて前記少なくとも１つの第１のＵＥにデータを送信することと、
前記第２のシステム帯域幅内の周波数ホッピングを用いて前記少なくとも１つの第２のＵＥにデータを送信することと
をさらに備える、Ｃ１に記載の方法。
［Ｃ９］
前記第２のシステム帯域幅が前記第１のシステム帯域幅と追加の帯域幅とを備え、前記少なくとも１つの第２のＵＥにデータを前記送信することが、前記第１のシステム帯域幅にマッピングされたリソースについては前記第１のシステム帯域幅内の周波数ホッピングを用いて、および前記追加の帯域幅にマッピングされたリソースについては前記追加の帯域幅内の周波数ホッピングを用いて、前記少なくとも１つの第２のＵＥにデータを送信することを備える、Ｃ８に記載の方法。
［Ｃ１０］
前記少なくとも１つの第１のＵＥについてホッピングすべき量を決定する第１のギャップ値に基づく周波数ホッピングを用いて前記少なくとも１つの第１のＵＥにデータを送信することと、
前記少なくとも１つの第２のＵＥについてホッピングすべき量を決定する第２のギャップ値に基づく周波数ホッピングを用いて前記少なくとも１つの第２のＵＥにデータを送信することと
をさらに備え、前記第２のギャップ値が、前記第１のギャップ値とは異なるか、または前記第１のギャップ値の整数倍であるＣ１に記載の方法。
［Ｃ１１］
前記第１のシステム帯域幅上でのみセル固有基準信号（ＣＲＳ）を送信することをさらに備えるＣ１に記載の方法。
［Ｃ１２］
前記第１のシステム帯域幅上でセル固有基準信号（ＣＲＳ）を送信することと、
前記追加の帯域幅上で、前記ＣＲＳ、または少なくとも１つの追加の基準信号、または両方を送信することと
をさらに備える、Ｃ２に記載の方法。
［Ｃ１３］
前記第１のシステム帯域幅に基づいて定義された第１のサブバンドについての第１のチャネルフィードバック情報を前記少なくとも１つの第１のＵＥから受信することと、
前記第２のシステム帯域幅に基づいて定義された第２のサブバンドについての、または前記第１のサブバンドと、前記追加の帯域幅に基づいて定義された少なくとも１つの追加のサブバンドとについての、第２のチャネルフィードバック情報を前記少なくとも１つの第２のＵＥから受信することと
をさらに備える、Ｃ２に記載の方法。
［Ｃ１４］
前記少なくとも１つの第１のＵＥが、ダウンリンクでは前記第１のシステム帯域幅上で通信し、アップリンクでは第３のシステム帯域幅上で通信し、前記少なくとも１つの第２のＵＥが、前記ダウンリンクでは前記第２のシステム帯域幅上で通信し、前記アップリンクでは第４のシステム帯域幅上で通信し、前記第４のシステム帯域幅が、前記第３のシステム帯域幅と重複し、前記第３のシステム帯域幅と追加の帯域幅とを備える、Ｃ１に記載の方法。
［Ｃ１５］
前記第３のシステム帯域幅上で前記少なくとも１つの第１のＵＥから第３の制御情報を受信することと、
前記第３のシステム帯域幅上で前記少なくとも１つの第２のＵＥから第４の制御情報を受信することと
をさらに備える、Ｃ１４に記載の方法。
［Ｃ１６］
前記第３のシステム帯域幅内の周波数ホッピングを用いて前記少なくとも１つの第１のＵＥによって送信されたデータを受信することと、
前記第４のシステム帯域幅内の周波数ホッピングを用いて、または前記第３のシステム帯域幅にマッピングされたリソースについては前記第３のシステム帯域幅内の周波数ホッピングを用いて、および前記追加の帯域幅にマッピングされたリソースについては前記追加の帯域幅内の周波数ホッピングを用いて、前記少なくとも１つの第２のＵＥによって送信されたデータを受信することと
をさらに備える、Ｃ１４に記載の方法。
［Ｃ１７］
前記第３のシステム帯域幅上で前記少なくとも１つの第１のＵＥによって送信された少なくとも１つのサウンディング基準信号を受信することと、
前記第３のシステム帯域幅上で、または前記第４のシステム帯域幅上で、前記少なくとも１つの第２のＵＥによって送信された少なくとも１つの他のサウンディング基準信号を受信することと
をさらに備える、Ｃ１４に記載の方法。
［Ｃ１８］
第１のシステム帯域幅上で少なくとも１つの第１のユーザ機器（ＵＥ）のための通信をサポートするための第１の制御情報を送信するための手段と、
前記第１のシステム帯域幅と重複する第２のシステム帯域幅上で少なくとも１つの第２のＵＥのための通信をサポートするための第２の制御情報を送信するための手段と
を備える、ワイヤレス通信のための装置。
［Ｃ１９］
前記第２の制御情報を送信するための前記手段が、前記第１のシステム帯域幅上でのみ前記第２の制御情報を送信するための手段を備える、Ｃ１８に記載の装置。
［Ｃ２０］
前記第１のシステム帯域幅内の周波数ホッピングを用いて前記少なくとも１つの第１のＵＥにデータを送信するための手段と、
前記第２のシステム帯域幅内の周波数ホッピングを用いて前記少なくとも１つの第２のＵＥにデータを送信するための手段と
をさらに備える、Ｃ１８に記載の装置。
［Ｃ２１］
前記少なくとも１つの第１のＵＥが、ダウンリンクでは前記第１のシステム帯域幅上で通信し、アップリンクでは第３のシステム帯域幅上で通信し、前記少なくとも１つの第２のＵＥが、前記ダウンリンクでは前記第２のシステム帯域幅上で通信し、前記アップリンクでは第４のシステム帯域幅上で通信し、前記第４のシステム帯域幅が、前記第３のシステム帯域幅と重複し、前記第３のシステム帯域幅と追加の帯域幅とを備える、Ｃ１８に記載の装置。
［Ｃ２２］
前記第３のシステム帯域幅上で前記少なくとも１つの第１のＵＥから第３の制御情報を受信するための手段と、
前記第３のシステム帯域幅上で前記少なくとも１つの第２のＵＥから第４の制御情報を受信するための手段と
をさらに備える、Ｃ２１に記載の装置。
［Ｃ２３］
前記第３のシステム帯域幅内の周波数ホッピングを用いて前記少なくとも１つの第１のＵＥによって送信されたデータを受信するための手段と、
前記第４のシステム帯域幅内の周波数ホッピングを用いて前記少なくとも１つの第２のＵＥによって送信されたデータを受信するための手段と
をさらに備える、Ｃ２１に記載の装置。
［Ｃ２４］
第１のシステム帯域幅上で少なくとも１つの第１のユーザ機器（ＵＥ）のための通信をサポートするための第１の制御情報を送信することと、前記第１のシステム帯域幅と重複する第２のシステム帯域幅上で少なくとも１つの第２のＵＥのための通信をサポートするための第２の制御情報を送信することとを行うように構成された少なくとも１つのプロセッサ
を備える、ワイヤレス通信のための装置。
［Ｃ２５］
前記少なくとも１つのプロセッサが、前記第１のシステム帯域幅上でのみ前記第２の制御情報を送信するように構成された、Ｃ２４に記載の装置。
［Ｃ２６］
前記少なくとも１つのプロセッサが、前記第１のシステム帯域幅内の周波数ホッピングを用いて前記少なくとも１つの第１のＵＥにデータを送信することと、前記第２のシステム帯域幅内の周波数ホッピングを用いて前記少なくとも１つの第２のＵＥにデータを送信することとを行うように構成された、Ｃ２４に記載の装置。
［Ｃ２７］
前記少なくとも１つの第１のＵＥが、ダウンリンクでは前記第１のシステム帯域幅上で通信し、アップリンクでは第３のシステム帯域幅上で通信し、前記少なくとも１つの第２のＵＥが、前記ダウンリンクでは前記第２のシステム帯域幅上で通信し、前記アップリンクでは第４のシステム帯域幅上で通信し、前記第４のシステム帯域幅が、前記第３のシステム帯域幅と重複し、前記第３のシステム帯域幅と追加の帯域幅とを備える、Ｃ２４に記載の装置。
［Ｃ２８］
前記少なくとも１つのプロセッサが、前記第３のシステム帯域幅上で前記少なくとも１つの第１のＵＥから第３の制御情報を受信することと、前記第３のシステム帯域幅上で前記少なくとも１つの第２のＵＥから第４の制御情報を受信することとを行うように構成された、Ｃ２７に記載の装置。
［Ｃ２９］
前記少なくとも１つのプロセッサが、前記第３のシステム帯域幅内の周波数ホッピングを用いて前記少なくとも１つの第１のＵＥによって送信されたデータを受信することと、前記第４のシステム帯域幅内の周波数ホッピングを用いて前記少なくとも１つの第２のＵＥによって送信されたデータを受信することとを行うように構成された、Ｃ２７に記載の装置。
［Ｃ３０］
第１のシステム帯域幅上で少なくとも１つの第１のユーザ機器（ＵＥ）のための通信をサポートするための第１の制御情報を送信することを少なくとも１つのコンピュータに行わせるためのコードと、
前記第１のシステム帯域幅と重複する第２のシステム帯域幅上で少なくとも１つの第２のＵＥのための通信をサポートするための第２の制御情報を送信することを前記少なくとも１つのコンピュータに行わせるためのコードと
を備えるコンピュータ可読媒体
を備える、コンピュータプログラム製品。
［Ｃ３１］
ユーザ機器（ＵＥ）において基地局から制御情報を受信することであって、前記基地局が、第１のシステム帯域幅上で少なくとも１つの第１のＵＥのための通信をサポートするための第１の制御情報を送信し、前記第１のシステム帯域幅と重複する第２のシステム帯域幅上で少なくとも１つの第２のＵＥのための通信をサポートするための第２の制御情報を送信し、前記ＵＥが、前記少なくとも１つの第２のＵＥのうちの１つである、受信することと、
前記制御情報に基づいて前記基地局と通信することと
を備える、ワイヤレス通信のための方法。
［Ｃ３２］
前記制御情報を前記受信することが、前記第１のシステム帯域幅上でのみ前記基地局から前記制御情報を受信することを備え、前記基地局と前記通信することが、前記第２のシステム帯域幅上で前記基地局からデータを受信することを備える、Ｃ３１に記載の方法。
［Ｃ３３］
制御情報を前記受信することが、制御チャネルから肯定応答（ＡＣＫ）情報と否定応答（ＮＡＣＫ）情報とを受信することを備え、前記制御チャネルのリソースが、前記第２のシステム帯域幅ではなく前記第１のシステム帯域幅に基づいて判断される、Ｃ３１に記載の方法。
［Ｃ３４］
前記基地局と前記通信することが、少なくとも１つのリソースブロック上で前記基地局によって送信されたデータを受信することを備え、前記第１のシステム帯域幅が、第１のサイズのリソースブロックグループ（ＲＢＧ）に区分され、前記第２のシステム帯域幅が、第２のサイズのＲＢＧに区分され、前記第２のサイズが、前記第１のサイズとは異なるか、または前記第１のサイズの整数倍であり、前記少なくとも１つのリソースブロックが、前記第２のサイズの前記ＲＢＧに基づいて判断される、Ｃ３１に記載の方法。
［Ｃ３５］
前記基地局と前記通信することが、前記第２のシステム帯域幅内の周波数ホッピングを用いて前記基地局によって送信されたデータを受信することを備える、Ｃ３１に記載の方法。
［Ｃ３６］
前記第２のシステム帯域幅が前記第１のシステム帯域幅と追加の帯域幅とを備え、前記基地局によって送信されたデータを前記受信することが、前記第１のシステム帯域幅にマッピングされたリソースについては前記第１のシステム帯域幅内の周波数ホッピングを用いて、および前記追加の帯域幅にマッピングされたリソースについては前記追加の帯域幅内の周波数ホッピングを用いて、前記基地局によって送信されたデータを受信することを備える、Ｃ３５に記載の方法。
［Ｃ３７］
前記基地局と前記通信することが、周波数ホッピングを用いて前記基地局によって送信されたデータを受信することを備え、前記基地局が、第１のギャップ値に基づく周波数ホッピングを用いて前記少なくとも１つの第１のＵＥにデータを送信し、第２のギャップ値に基づく周波数ホッピングを用いて前記少なくとも１つの第２のＵＥにデータを送信し、前記第２のギャップ値が、前記第１のギャップ値とは異なるか、または前記第１のギャップ値の整数倍である、Ｃ３１に記載の方法。
［Ｃ３８］
前記基地局によって前記第１のシステム帯域幅上でのみ送信されたセル固有基準信号（ＣＲＳ）を受信すること
をさらに備える、Ｃ３１に記載の方法。
［Ｃ３９］
前記第２のシステム帯域幅が前記第１のシステム帯域幅と追加の帯域幅とを備え、前記方法が、
前記第１のシステム帯域幅に基づいて定義された第１のサブバンドについての、または前記第２のシステム帯域幅に基づいて定義された第２のサブバンドについての、または前記第１のサブバンドと、前記追加の帯域幅に基づいて定義された少なくとも１つの追加のサブバンドとについての、チャネルフィードバック情報を前記ＵＥから前記基地局に送ること
をさらに備える、Ｃ３１に記載の方法。
［Ｃ４０］
前記チャネルフィードバック情報が、チャネル品質インジケータ（ＣＱＩ）情報、またはプリコーディング行列インジケータ（ＰＭＩ）情報、またはランクインジケータ（ＲＩ）情報、またはそれらの組合せを備える、Ｃ３９に記載の方法。
［Ｃ４１］
前記第２のシステム帯域幅についてのチャネルフィードバック情報を備える単一の報告を送ること
をさらに備える、Ｃ３１に記載の方法。
［Ｃ４２］
前記第２のシステム帯域幅が前記第１のシステム帯域幅と追加の帯域幅とを備え、前記方法が、
前記第１のシステム帯域幅についてのチャネルフィードバック情報を備える第１の報告を送ることと、
前記追加の帯域幅についてのチャネルフィードバック情報を備える第２の報告を送ることと
をさらに備える、Ｃ３１に記載の方法。
［Ｃ４３］
前記少なくとも１つの第１のＵＥが、ダウンリンクでは前記第１のシステム帯域幅上で通信し、アップリンクでは第３のシステム帯域幅上で通信し、前記少なくとも１つの第２のＵＥが、前記ダウンリンクでは前記第２のシステム帯域幅上で通信し、前記アップリンクでは第４のシステム帯域幅上で通信し、前記第４のシステム帯域幅が前記第３のシステム帯域幅と追加の帯域幅とを備える、Ｃ３１に記載の方法。
［Ｃ４４］
前記第３のシステム帯域幅上で前記ＵＥから前記基地局にアップリンク制御情報を送信すること
をさらに備える、Ｃ４３に記載の方法。
［Ｃ４５］
前記第４のシステム帯域幅内の周波数ホッピングを用いて前記ＵＥから前記基地局にデータを送信すること
をさらに備える、Ｃ４３に記載の方法。
［Ｃ４６］
データを前記送信することが、前記第３のシステム帯域幅にマッピングされたリソースについては前記第３のシステム帯域幅内の周波数ホッピングを用いて、および前記追加の帯域幅にマッピングされたリソースについては前記追加の帯域幅内の周波数ホッピングを用いて、前記ＵＥから前記基地局にデータを送信することを備える、Ｃ４５に記載の方法。
［Ｃ４７］
前記第３のシステム帯域幅上で、または前記第４のシステム帯域幅上で、前記ＵＥから前記基地局にサウンディング基準信号を送信すること
をさらに備える、Ｃ４３に記載の方法。
［Ｃ４８］
ユーザ機器（ＵＥ）において基地局から制御情報を受信するための手段であって、前記基地局が、第１のシステム帯域幅上で少なくとも１つの第１のＵＥのための通信をサポートするための第１の制御情報を送信し、前記第１のシステム帯域幅と重複する第２のシステム帯域幅上で少なくとも１つの第２のＵＥのための通信をサポートするための第２の制御情報を送信し、前記ＵＥが、前記少なくとも１つの第２のＵＥのうちの１つである、受信するための手段と、
前記制御情報に基づいて前記基地局と通信するための手段と
を備える、ワイヤレス通信のための装置。
［Ｃ４９］
前記制御情報を受信するための前記手段が、前記第１のシステム帯域幅上でのみ前記基地局から前記制御情報を受信するための手段を備え、前記基地局と通信するための前記手段が、前記第２のシステム帯域幅上で前記基地局からデータを受信するための手段を備える、Ｃ４８に記載の装置。
［Ｃ５０］
前記少なくとも１つの第１のＵＥが、ダウンリンクでは前記第１のシステム帯域幅上で通信し、アップリンクでは第３のシステム帯域幅上で通信し、前記少なくとも１つの第２のＵＥが、前記ダウンリンクでは前記第２のシステム帯域幅上で通信し、前記アップリンクでは第４のシステム帯域幅上で通信し、前記第４のシステム帯域幅が前記第３のシステム帯域幅と追加の帯域幅とを備える、Ｃ４８に記載の装置。
［Ｃ５１］
前記第３のシステム帯域幅上で前記ＵＥから前記基地局にアップリンク制御情報を送信するための手段
をさらに備える、Ｃ５０に記載の装置。
［Ｃ５２］
前記第４のシステム帯域幅内の周波数ホッピングを用いて前記ＵＥから前記基地局にデータを送信するための手段
をさらに備える、Ｃ５０に記載の装置。
［Ｃ５３］
第１のサブフレーム中の第１のシステム帯域幅上で少なくとも１つの第１のユーザ機器（ＵＥ）と通信することと、
第２のサブフレーム中の第２のシステム帯域幅上で少なくとも１つの第２のＵＥと通信することであって、前記第２のシステム帯域幅が前記第１のシステム帯域幅と重複し、前記第１のサブフレームが前記第２のサブフレームと時分割多重化された、通信することと
を備える、ワイヤレス通信のための方法。
［Ｃ５４］
前記第１および第２のシステム帯域幅と前記第１および第２のサブフレームとがダウンリンク用であり、前記方法は、
アップリンクでは第３のサブフレーム中の第３のシステム帯域幅上で前記少なくとも１つの第１のＵＥと通信することと、
前記アップリンクでは第４のサブフレーム中の第４のシステム帯域幅上で前記少なくとも１つの第２のＵＥと通信することであって、前記第４のシステム帯域幅が前記第３のシステム帯域幅と重複し、前記第３のサブフレームが前記第４のサブフレームと時分割多重化された、通信することと
をさらに備える、Ｃ５３に記載の方法。
［Ｃ５５］
データ送信が前記少なくとも１つの第１のＵＥに送られた、第１のサブフレームごとに、第３のサブフレームが、所定の遅延後に、前記データ送信についての肯定応答（ＡＣＫ）情報と否定応答（ＮＡＣＫ）情報とを送るために前記アップリンク上で利用可能である、Ｃ５４に記載の方法。
［Ｃ５６］
少なくとも１つのアップリンク許可が前記少なくとも１つの第１のＵＥに送られた、第１のサブフレームごとに、第３のサブフレームが、所定の遅延後に、前記アップリンク上での前記少なくとも１つの第１のＵＥによるデータ送信のために前記アップリンク上で利用可能である、Ｃ５４に記載の方法。
［Ｃ５７］
少なくとも１つのアップリンク許可が前記少なくとも１つの第１のＵＥに送られた、第１のサブフレームごとに、別の第１のサブフレームが、所定の遅延後に、肯定応答（ＡＣＫ）情報と否定応答（ＮＡＣＫ）情報とを送るために前記ダウンリンク上で利用可能である、Ｃ５４に記載の方法。
［Ｃ５８］
第１のサブフレーム中の第１のシステム帯域幅上で少なくとも１つの第１のユーザ機器（ＵＥ）と通信するための手段と、
第２のサブフレーム中の第２のシステム帯域幅上で少なくとも１つの第２のＵＥと通信するための手段であって、前記第２のシステム帯域幅が前記第１のシステム帯域幅と重複し、前記第１のサブフレームが前記第２のサブフレームと時分割多重化された、通信するための手段と
を備える、ワイヤレス通信のための装置。
［Ｃ５９］
前記第１および第２のシステム帯域幅と前記第１および第２のサブフレームとがダウンリンク用であり、前記装置は、
アップリンクでは第３のサブフレーム中の第３のシステム帯域幅上で前記少なくとも１つの第１のＵＥと通信するための手段と、
前記アップリンクでは第４のサブフレーム中の第４のシステム帯域幅上で前記少なくとも１つの第２のＵＥと通信するための手段であって、前記第４のシステム帯域幅が前記第３のシステム帯域幅と重複し、前記第３のサブフレームが前記第４のサブフレームと時分割多重化された、通信するための手段と
をさらに備える、Ｃ５８に記載の装置。
【外国語明細書】
2014239474000001.pdf